(57)【要約】【課題】動き補償予測を使用する際の符号化効率を向上させる。【解決手段】予測モード判定部１０９は、符号化対象ブロックの動き情報として、符号化対象ブロックに隣接する参照ブロックのインデックス、及び符号化対象ブロックの動きベクトルと参照ブロックの動きベクトルとの差分ベクトルを使用するモードを選択可能である。予測誤差符号化部１０３は、予測モード判定部１０９から供給される動き情報をもとに生成される予測信号と、符号化対象ブロックの画像信号との差分である予測誤差信号を符号化する。動き情報符号化部１１０は、予測モード判定部１０９から供給される動き情報を符号化する。多重化部１１２は、予測誤差信号符号化部から供給される符号化データと、動き情報符号化部１１０から供給される符号化データとを多重化する。【選択図】図１
2015222980.tif 000002
【特許請求の範囲】
【請求項１】
動画像の各ピクチャを分割したブロック単位で動きベクトルを検出して符号化する画像符号化装置であって、
符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定部と、
前記予測モード判定部から供給される動き情報をもとに生成される予測信号と、前記符号化対象ブロックの画像信号との差分である予測誤差信号を符号化する予測誤差信号符号化部と、
前記予測モード判定部から供給される動き情報を符号化する動き情報符号化部と、
前記予測誤差信号符号化部から供給される符号化データと、前記動き情報符号化部から供給される符号化データとを多重化する多重化部とを備え、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする画像符号化装置。
【発明の詳細な説明】
【技術分野】
【０００１】
本発明は、動き補償予測を用いた動画像符号化技術に関し、特に動き補償予測に利用す
る画像符号化装置、画像符号化方法及び画像符号化プログラムに関する。
【背景技術】
【０００２】
ＭＰＥＧ−４  ＡＶＣ／Ｈ．２６４（以後、ＡＶＣ）等に代表される動画像符号化では
、時間方向の相関を利用した情報圧縮として、符号化対象となる画像信号である符号化対
象ピクチャに対して、既に符号化され復号された局部復号信号を参照ピクチャとして用い
、所定の符号化処理単位で、対象ピクチャと参照ピクチャとの間での動き量（以後、動き
ベクトル）を検出し、予測信号を生成する動き補償予測が用いられる。
【０００３】
ＡＶＣでは、動き補償予測において１つの参照ピクチャから１本の動きベクトルを利用
して単一方向に予測信号を生成する片方向予測と、２つの参照ピクチャから２本の動きベ
クトルを利用して双方向に予測信号を生成する双方向予測が用いられる。これらを所定の
符号化処理単位となる１６×１６画素の２次元ブロック内で処理対象となっているブロッ
ク（以後、予測対象ブロック）の大きさを可変にする手法や、複数の参照ピクチャの中か
ら予測に用いる参照ピクチャを選択する手法に適用することで、予測信号の情報量を削減
している。符号化側では、予測モード情報や参照画像を指定する情報を選択して伝送し、
復号側では、伝送された予測モード情報や参照画像を指定する情報に従って動き補償予測
処理が施される。
【０００４】
動きベクトルについては、処理対象ブロックに隣接する符号化済みのブロックの動きベ
クトルを予測動きベクトル（以降、予測ベクトル）とし、処理対象ブロックの動きベクト
ルと予測ベクトルとの差分を求め、差分ベクトルを符号化ベクトルとして伝送することで
圧縮効率を向上させている。
【０００５】
更に、ＡＶＣにおいては、予測対象ブロックと同一位置にある参照ピクチャのブロック
の符号化に用いられた動きベクトルを利用して、符号化ベクトルを伝送することなく動き
補償予測を実現するダイレクト動き補償予測が知られている。
【０００６】
また、他の符号化ベクトルを伝送しない手法として、処理対象ブロックに隣接するブロ
ックの動き情報を利用して、動き補償予測を実現する動き補償予測が知られている（例え
ば、特許文献１参照）。
【先行技術文献】
【特許文献】
【０００７】
【特許文献１】特開平１０−２７６４３９号公報
【発明の概要】
【発明が解決しようとする課題】
【０００８】
上述したダイレクト動き補償予測は、予測対象ブロックと同一位置にある参照ピクチャ
のブロックにおける時間方向の動きの連続性に着目し、上述した符号化ベクトルを伝送し
ない動き補償予測は、予測対象ブロックと予測対象ブロックに隣接する符号化済ブロック
における空間方向の動きの連続性に着目することで、他のブロックの動き情報をそのまま
利用する。これにより、差分ベクトルを符号化ベクトルとして符号化せずに符号化効率を
向上させている。
【０００９】
しかしながら、動きの連続性が十分保たれていない場合や、他ブロックの動き情報にお
ける動きベクトルが正確な動きを示していない場合などに、他のブロックの動き情報をそ
のまま利用する方式を用いた際には、ずれの生じた動き情報を用いた予測画像が生成され
る。その場合、精度良い動き補償予測画像を生成できず、符号化効率が向上しないという
難しい面がある。
【００１０】
また、差分動きベクトルを符号化せずに動き補償を行わない場合には、差分動きベクト
ルを符号化する従来の動き補償予測が用いられるが、従来の動き補償予測を行う際には、
予測モード情報や参照画像の指定情報、更に指定された参照画像に対して用いられる動き
ベクトルを予測ベクトルとの差分ベクトルとして、それぞれ符号化する必要がある。この
場合、動き補償予測手法を指定する符号量が増大し、十分に符号化効率が向上しないとい
う難しい面がある。
【００１１】
本発明はこうした状況に鑑みてなされたものであり、その目的は、動き補償予測を使用
する際の符号化効率を向上させる技術を提供することにある。
【課題を解決するための手段】
【００１２】
上記課題を解決するために、本発明のある態様の画像符号化装置は、動画像の各ピクチャを分割したブロック単位で動きベクトルを検出して符号化する画像符号化装置であって、符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定部（１０９）と、前記予測モード判定部（１０９）から供給される動き情報をもとに生成される予測信号と、前記符号化対象ブロックの画像信号との差分である予測誤差信号を符号化する予測誤差信号符号化部（１０３）と、前記予測モード判定部（１０９）から供給される動き情報を符号化する動き情報符号化部（１１０）と、前記予測誤差信号符号化部（１０３）から供給される符号化データと、前記動き情報符号化部（１１０）から供給される符号化データとを多重化する多重化部（１１２）と、を備える。前記差分ベクトルの対象となる前記参照ブロックの動き情報に含まれる前記一方の動きベクトルは、参照ブロック候補の動き情報から特定される、予測方向によって決定される動きベクトルである。
【００１３】
なお、以上の構成要素の任意の組み合わせ、本発明の表現を方法、装置、システム、記
録媒体、コンピュータプログラムなどの間で変換したものもまた、本発明の態様として有
効である。
【発明の効果】
【００１４】
本発明によれば、動き補償予測を使用する際の符号化効率を向上させることができる。
【図面の簡単な説明】
【００１５】
【図１】本発明の実施の形態１に係る動画像符号化装置の構成を示す図である。
【図２】符号化対象画像の一例を示す図である。
【図３】予測ブロックサイズの詳細な定義を示す図である。
【図４】図４（ａ）〜（ｄ）は、動き補償予測の予測方向について説明するための図である。
【図５】本発明の実施の形態１に係る動画像符号化装置における符号化処理の動作の流れ示すフローチャートである。
【図６】本発明の実施の形態１に係る動画像復号装置の構成を示す図である。
【図７】本発明の実施の形態１に係る動画像復号装置における復号処理の動作の流れを示すフローチャートである。
【図８】図８（ａ）、（ｂ）は、本発明の実施の形態１における動き補償予測において使用される動き情報を符号化するための３つの予測モードを説明するための図である。
【図９】動き補償予測および動き補償予測を実施しない画面内予測における、動き補償の予測方向と、参照画像を定義する情報、及び符号化する動きベクトル数の関連に関して説明するための図である。
【図１０】実施の形態１の動画像符号化装置におけるモード判定部の詳細な構成を示す図である。
【図１１】予測ベクトル算出部の構成を示す図である。
【図１２】結合動き情報算出部の構成を示す図である。
【図１３】結合動き修正動き補償予測生成部の構成を示す図である。
【図１４】図１０の予測モード判定部を介して動作する、図５のステップＳ５０２である動き補償予測モード／予測信号生成の動作について説明するためのフローチャートである。
【図１５】図１４のステップＳ１４００における結合動き情報候補リスト生成の詳細動作を説明するためのフローチャートである。
【図１６】空間結合動き情報候補リスト生成に用いる空間候補ブロック群を示す図である。
【図１７】空間結合動き情報候補リスト生成の詳細動作を説明するためのフローチャートである。
【図１８】時間結合動き情報候補リスト生成に用いる時間候補ブロック群を示す図である。
【図１９】時間結合動き情報候補リスト生成の詳細動作を説明するためのフローチャートである。
【図２０】時間結合動き情報に対する基準動きベクトル値ＣｏｌＭｖに対する、Ｌ０予測、Ｌ１予測に対して登録する動きベクトル値ｍｖＬ０ｔ、ｍｖＬ１ｔの算出手法を説明するための図である。
【図２１】図１９のステップＳ１４０１における結合予測モード評価値生成の詳細動作を説明するためのフローチャートである。
【図２２】図１４のステップＳ１４０２における結合動き修正予測モード評価値生成の詳細動作を説明するためのフローチャートである。
【図２３】図２３（ａ）〜（ｃ）は、結合動き修正予測モードにおける結合動き情報に対するスケーリング処理の概念を示す図である。
【図２４】各結合動き情報に対して存在するスケーリングされて生成した動きベクトル数を示す図である。
【図２５】図２５（ａ）〜（ｃ）は、実施の形態１における差分動きベクトル伝送参照画像確定アルゴリズムを示す概念図である。
【図２６】図２２のステップＳ２２０３の詳細動作を説明するためのフローチャートである。
【図２７】図２６のステップＳ２６０１の詳細動作を説明するためのフローチャートである。
【図２８】図２７のステップＳ２７０２の詳細動作を説明するためのフローチャートである。
【図２９】図１４のステップＳ１４０３の詳細動作を説明するためのフローチャートである。
【図３０】図２９のステップＳ２９０１の詳細動作を説明するためのフローチャートである。
【図３１】空間動き情報利用予測ベクトル候補リスト生成の詳細動作を説明するためのフローチャートである。
【図３２】時間動き情報利用予測ベクトル候補リスト生成の詳細動作を説明するためのフローチャートである。
【図３３】図１４のステップＳ１４０４の詳細動作を説明するためのフローチャートである。
【図３４】図５のステップＳ５０４の詳細動作を説明するためのフローチャートである。
【図３５】実施の形態１における動き予測フラグの一例を示す図である。
【図３６】図３４のフローチャートで示した、動き情報符号化データ生成処理によって生成される符号化ストリームのシンタックスの一例を示す図である。
【図３７】図６に示した実施の形態１の動画像復号装置における動き情報復号部の詳細な構成を示す図である。
【図３８】図７のステップＳ７０１の詳細動作を説明するためのフローチャートである。
【図３９】図３８のステップＳ３８０２の詳細動作を説明するためのフローチャートである。
【図４０】図３８のステップＳ３８０７の詳細動作を説明するためのフローチャートである。
【図４１】図３８のステップＳ３８１１の詳細動作を説明するためのフローチャートである。
【図４２】図３８のステップＳ３８１０の詳細動作を説明するためのフローチャートである。
【図４３】実施の形態２における動き予測モードの構成を示す図である。
【図４４】実施の形態２における、動き情報符号化データ生成処理によって生成される符号化ストリームのシンタックスを示す図である。
【図４５】実施の形態２の動画像符号化装置における動き情報符号化データ生成処理を説明するためのフローチャートである。
【図４６】実施の形態２の動画像復号装置における動き情報復号処理を説明するためのフローチャートである。
【図４７】実施の形態３における、図１０の結合動き修正動き補償予測生成部における詳細構成を示す図である。
【図４８】実施の形態３における結合動き修正予測モード評価値生成処理を説明するためのフローチャートである。
【図４９】図４９（ａ）〜（ｃ）は、実施の形態４における距離優先アルゴリズムを示す概念図である。
【図５０】実施の形態４における、双方向動きベクトル値、差分ベクトルを伝送する参照画像確定処理を説明するためのフローチャートである。
【図５１】図５１（ａ）〜（ｃ）は、実施の形態５における、結合動き情報が空間ＢｉＰｒｅｄである場合、空間ＵｎｉＰｒｅｄである場合、時間ＢｉＰｒｅｄである場合における、差分ベクトルを伝送する参照画像を特定する処理構成の概念図を示す図である。
【図５２】実施の形態５における、各予測モードにおける伝送する動き情報の関係を示す図である。
【図５３】実施の形態５における双方向動きベクトル値、差分ベクトルを伝送する参照画像確定処理を説明するためのフローチャートである。
【図５４】実施の形態５における、符号化シンタックスの一例を示す図である。
【図５５】実施の形態５の動画像符号化装置における動き情報符号化データ生成処理を説明するためのフローチャートである。
【図５６】実施の形態５の動画像復号装置における結合動き修正予測動き情報復号処理を説明するためのフローチャートである。
【図５７】図５７（ａ）、（ｂ）は、実施の形態５における常に２つの参照画像を送る構成における空間ＢｉＰｒｅｄ及び空間ＵｎｉＰｒｅｄの差分ベクトルの状態の概念図を示す図である。
【図５８】常に２つの参照画像に対して差分ベクトルを伝送する構成を取る場合に採用可能な符号化シンタックスの一例を示す図である。
【図５９】実施の形態６の動画像符号化装置における予測モード判定部の構成を示す図である。
【図６０】実施の構成６の動画像復号装置における動き情報復号部の構成を示す図である。
【図６１】実施の形態６における符号化シンタックスの一例を示す図である。
【図６２】実施の形態６における各予測モードで適用する結合情報を異なるものとする一例を示す図である。
【図６３】図６３（ａ）、（ｂ）は、実施の形態７における差分ベクトルの２つの参照画像に対する作用を示す概念図である。
【図６４】実施の形態７における、２つの参照画像の結合動きベクトル値を基準とした動きベクトル探索手法の一例を示す図である。
【図６５】実施の形態７における結合動き修正予測モード評価値生成処理を説明するためのフローチャートである。
【図６６】実施の形態７における結合動き修正予測動き情報復号処理を説明するためのフローチャートである。
【図６７】実施の形態７における差分ベクトルの作用を両方の参照画像に適用する別構成を示す概念図である。
【図６８】実施の形態８における動き補償予測モードの定義を示す図である。
【図６９】実施の形態８の動画像符号化装置における予測モード判定部の構成を示す図である。
【図７０】実施の形態８の動画像符号化装置における動き補償予測モード／予測信号生成処理を説明するためのフローチャートである。
【図７１】実施の形態８の動画像符号化装置における動き情報符号化データ生成処理を説明するためのフローチャートである。
【図７２】実施の形態８における動き情報に関する符号化シンタックスの一例を示す図である。
【図７３】実施の形態８の動画像復号装置における動き情報復号部の構成を示す図である。
【図７４】実施の形態８の動画像復号装置における動き情報復号処理を説明するためのフローチャートである。
【図７５】図７４のステップＳ３８１０の詳細動作を説明するためのフローチャートである。
【図７６】図７６（ａ）〜（ｃ）は、実施の形態８における別構成の結合動き修正予測モードの差分ベクトル伝送手法を示す概念図である。
【図７７】実施の形態９の動画像符号化装置における結合動き修正予測モード評価値生成処理を説明するためのフローチャートである。
【図７８】実施の形態９における別構成の結合動き修正予測モード評価値生成処理を説明するためのフローチャートである。
【図７９】実施の形態９の動画像復号装置における結合動き修正予測動き情報復号処理を説明するためのフローチャートである。
【図８０】結合動き情報候補数が５の場合のＴｒｕｎｃａｔｅｄ  Ｕｎａｒｙ符号列を示す図である。
【発明を実施するための形態】
【００１６】
以下、図面とともに本発明の実施の形態に係る動画像符号化装置、動画像符号化方法、
動画像符号化プログラム、並びに動画像復号装置、動画像復号方法、動画像復号プログラ
ムの好適な実施の形態について詳細に説明する。なお、図面の説明には同一要素には同一
符号を付与して重複する説明を省略する。
【００１７】
（実施の形態１）
［動画像符号化装置全体構成］
図１は、本発明の実施の形態１に係る動画像符号化装置の構成を示す図である。以下、
各部の動作について説明する。実施の形態１に係る動画像符号化装置は、入力端子１００
、減算部１０１、直交変換・量子化部１０２、予測誤差符号化部１０３、逆量子化・逆変
換部１０４、加算部１０５、復号画像メモリ１０６、動きベクトル検出部１０７、動き補
償予測部１０８、予測モード判定部１０９、動き情報符号化部１１０、動き情報メモリ１
１１、多重化部１１２、及び出力端子１１３を備える。
【００１８】
入力端子１００より入力される画像信号から符号化処理対象の予測ブロックの画像信号
が、予測ブロックの位置情報と予測ブロックサイズに基づいて切り出され、予測ブロック
の画像信号は、減算部１０１、動きベクトル検出部１０７及び予測モード判定部１０９に
供給される。
【００１９】
図２は、符号化対象画像の一例を示す図である。実施の形態１に係る予測ブロックサイ
ズに関しては、図２に示すように符号化対象画像が６４×６４画素の符号化ブロック（Ｃ
Ｕ）単位で符号化処理され、予測ブロックは符号化ブロックが更に分割された単位で構成
される。最大予測ブロックサイズは符号化ブロックと同じ６４×６４画素で、最小予測ブ
ロックサイズは４×４画素である。符号化ブロックの予測ブロックへの分割構成は、非分
割（２Ｎ×２Ｎ）、水平・垂直への分割（Ｎ×Ｎ）、水平方向のみへの分割（２Ｎ×Ｎ）
、垂直方向のみへの分割（Ｎ×２Ｎ）が可能である。水平・垂直への分割の場合のみ、更
に分割された予測ブロックを符号化ブロックとして階層的に予測ブロックに分割でき、そ
の階層をＣＵ分割数で表現する。
【００２０】
図３は、予測ブロックサイズの詳細な定義を示す図である。ＣＵ分割数が０であって最
大の予測ブロックサイズである６４画素×６４画素から、ＣＵ分割数が３であって最小の
予測ブロックサイズである４画素×４画素までの１３の予測ブロックサイズが存在するこ
とになる。
【００２１】
本発明の実施の形態１に係る予測ブロックの分割構成に関して、この組み合わせに限定
されない。また、動画像符号化装置における予測ブロックサイズの選択は、符号化ブロッ
ク単位で符号化効率のより良い構造を適応的に選択することが可能であるが、実施の形態
１は予測ブロック単位での画面間予測及び画面間動き情報の符号化に注目したものである
ため、最適な予測ブロックサイズの選択に関する構成要素及び説明を省略する。以降の動
画像符号化装置の動作に関しては、選択した予測ブロックサイズ単位で施される動作を説
明する。
【００２２】
図１に戻り、減算部１０１は、入力端子１００より供給される画像信号と予測モード判
定部１０９より供給される予測信号を減算して予測誤差信号を算出し、予測誤差信号を直
交変換・量子化部１０２に供給する。
【００２３】
直交変換・量子化部１０２は、減算部１０１より供給される予測誤差信号に直交変換及
び量子化を施し、量子化された予測誤差信号を予測誤差符号化部１０３及び逆量子化・逆
変換部１０４に供給する。
【００２４】
予測誤差符号化部１０３は、直交変換・量子化部１０２より供給される量子化された予
測誤差信号をエントロピー符号化して、予測誤差信号に対する符号列を生成して、多重化
部１１２に供給する。
【００２５】
逆量子化・逆変換部１０４は、直交変換・量子化部１０２より供給される量子化された
予測誤差信号に対して、逆量子化や逆直交変換などの処理を行い、復号予測誤差信号を生
成し加算部１０５に供給する。
【００２６】
加算部１０５は、逆量子化・逆変換部１０４より供給される復号予測誤差信号と、予測
モード判定部１０９より供給される予測信号を加算して、復号画像信号を生成し、復号画
像信号を復号画像メモリ１１６に供給する。
【００２７】
復号画像メモリ１０６は、加算部１０５より供給される復号画像信号を格納する。また
、画像全体の復号が完了した復号画像については参照画像として１以上の所定画像数記憶
し、参照画像信号を動きベクトル検出部１０７と動き補償予測部１０８に供給する。
【００２８】
動きベクトル検出部１０７は、入力端子１００より供給される予測ブロックの画像信号
と、復号画像メモリ１０６に記憶された参照画像信号の入力を受けて、各参照画像に対す
る動きベクトルを検出し、動きベクトル値を予測モード判定部１０９に供給する。
【００２９】
一般的な動きベクトルの検出方法は、画像信号と同一位置より所定の移動量だけ移動さ
せた参照画像に相当する画像信号について誤差評価値を算出し、誤差評価値が最小となる
移動量を動きベクトルとする。誤差評価値としては、画素毎の差分絶対値の総和ＳＡＤ（
Ｓｕｍ  ｏｆ  Ａｂｓｏｌｕｔｅ  Ｄｉｆｆｅｒｅｎｃｅ）や、画素毎の二乗誤差値の総
和ＳＳＥ（Ｓｕｍ  ｏｆ  Ｓｑｕａｒｅ  Ｅｒｒｏｒ）等を利用する。さらに、動きベク
トルの符号化に関わる符号量も誤差評価値に含めることも可能である。
【００３０】
動き補償予測部１０８は、予測モード判定部１０９より指定される参照画像指定情報と
、動きベクトル値に従って、復号画像メモリ１０６内の参照画像指定情報で示される参照
画像を、動きベクトル値だけ予測ブロックの画像信号と同一位置より移動させた位置の画
像信号を取得して予測信号を生成する。
【００３１】
予測モード判定部１０９より指定される予測モードが片方向予測の場合には、１つの参
照画像から取得した予測信号を動き補償予測信号とし、予測モードが双方向予測の場合に
は、２つの参照画像から取得した予測信号を重みづけ平均したものを動き補償予測信号と
し、動き補償予測信号を予測モード判定部１０９に供給する。ここでは双方向予測の重み
づけ平均の比率を１：１とする。
【００３２】
図４（ａ）〜（ｄ）は、動き補償予測の予測方向について説明するための図である。単
一の参照画像からの予測を行う処理を片方向予測と定義し、片方向の場合はＬ０方向また
はＬ１方向という２つの参照画像管理リストに登録された参照画像のいずれか一方を利用
する。
【００３３】
図４（ａ）は片方向であってＬ０方向の参照画像（ＲｅｆＬ０Ｐｉｃ）が符号化対象画
像（ＣｕｒＰｉｃ）より前の時刻にある場合を示している。図４（ｂ）は片方向であって
Ｌ０方向の参照画像が符号化対象画像より後の時刻にある場合を示している。同様に、図
４（ａ）および図４（ｂ）のＬ０方向の参照画像をＬ１方向の参照画像（ＲｅｆＬ１Ｐｉ
ｃ）に置き換えて片方向予測を行うこともできる。
【００３４】
２つの参照画像からの予測を行う処理を双方向予測と定義し、双方向の場合はＬ０方向
とＬ１方向の双方を利用してＢＩ方向と表現する。図４（ｃ）は双方向であってＬ０方向
の参照画像が符号化対象画像より前の時刻にあって、Ｌ１方向の参照画像が符号化対象画
像より後の時刻にある場合を示している。図４（ｄ）は双方向であってＬ０方向の参照画
像とＬ１方向の参照画像が符号化対象画像より前の時刻にある場合を示している。このよ
うに、Ｌ０／Ｌ１の予測方向と時間の関係は、Ｌ０が過去方向、Ｌ１が未来方向とは限定
されずに用いることが可能である。
【００３５】
実施の形態１では、参照画像及び符号化対象画像の時刻を示す情報としてＰＯＣ（Ｐｉ
ｃｔｕｒｅ  Ｏｒｄｅｒ  Ｃｏｕｎｔ）を用いる。ＰＯＣはＡＶＣで定義された画像の表
示順序を示すカウンタである。画像の表示順序が１増加するとＰＯＣも１増加する。した
がって、画像間のＰＯＣ差から画像間の時間差（距離）を取得できる。
【００３６】
図１に戻り、予測モード判定部１０９は、動きベクトル検出部１０７より入力される各
参照画像に対して検出された動きベクトル値と、動き情報メモリ１１１に格納された動き
情報（予測方向、動きベクトル値、及び参照画像指定情報）をもとに、実施の形態１にお
いて定義した動き補償予測モードのそれぞれに対して用いられる、参照画像指定情報と動
きベクトル値を動き補償予測部１０８に設定する。設定した値によって、動き補償予測部
１０８から供給される動き補償予測信号と、入力端子１００より供給される予測ブロック
の画像信号を用いて、最適な動き補償予測モードを決定する。
【００３７】
予測モード判定部１０９は、決定した予測モード、及び予測モードに応じた予測方向、
動きベクトル、及び参照画像指定情報を特定する情報を、動き情報符号化部１１０に供給
し、決定した予測モード及びその予測モードに対する、予測方向、動きベクトル値、及び
参照画像指定情報を動き情報メモリ１１１に供給すると共に、減算部１０１及び加算部１
０５に決定した予測モードに対応する予測信号を供給する。
【００３８】
動画像符号化装置において、基準とする参照画像を符号化するために同一画面内の符号
化済画像を用いて予測を行う画面内予測が行われるが、実施の形態１は画面間予測に注目
したものであるため、画面内予測に関連する構成要素は省略する。予測モード判定部１０
９の詳細な構成については後述する。
【００３９】
動き情報符号化部１１０は、予測モード判定部１０９より供給される予測モード、及び
予測モードに応じた予測方向、動きベクトル、及び参照画像指定情報を特定する情報を所
定のシンタックス構造に従って符号化することで、動き情報の符号列を生成し、多重化部
１１２に供給する。動き情報符号化部１１０の詳細な構成については後述する。
【００４０】
動き情報メモリ１１１は、予測モード判定部１０９より供給される動き情報（予測方向
、動きベクトル、及び参照画像インデックス）を、最小予測ブロックサイズ単位を基準と
して所定画像分記憶する。処理対象の予測ブロックの隣接ブロックの動き情報を空間候補
ブロック群とし、処理対象の予測ブロックと同一位置にあるＣｏｌＰｉｃ上のブロックと
その周辺ブロックの動き情報を時間候補ブロック群とする。
【００４１】
ＣｏｌＰｉｃとは、処理対象の予測ブロックとは別の復号済みの画像であって、復号画
像メモリ１０６に参照画像として記憶されている。実施の形態１では、ＣｏｌＰｉｃは直
前に復号した参照画像とする。なお、実施の形態１では、ＣｏｌＰｉｃは直前に復号した
参照画像としたが、表示順で直前の参照画像や表示順で直後の参照画像でもよく、符号化
ストリーム中に、ＣｏｌＰｉｃに用いる参照画像を直接指定することも可能である。
【００４２】
動き情報メモリ１１１は、空間候補ブロック群と時間候補ブロック群の動き情報を、候
補ブロック群の動き情報として予測モード判定部１０９に供給する。多重化部１１２は、
予測誤差符号化部１０３から供給される予測誤差の符号化列と、動き情報符号化部１１０
から供給される動き情報の符号化列を多重化することで符号化ビットストリームを生成し
、出力端子１１３経由で、記録媒体・伝送路等に当該符号化ビットストリームを出力する
。
【００４３】
図１に示した動画像符号化装置の構成は、ＣＰＵ（Ｃｅｎｔｒａｌ  Ｐｒｏｃｅｓｓｉ
ｎｇ  Ｕｎｉｔ）、フレームメモリ、ハードディスクなどを備える情報処理装置等のハー
ドウェアによっても実現可能である。
【００４４】
図５は、本発明の実施の形態１に係る動画像符号化装置における符号化処理の動作の流
れ示すフローチャートである。予測ブロック単位毎に、入力端子１００より処理対象の予
測ブロック画像を取得する（Ｓ５００）。動きベクトル検出部１０７は、処理対象の予測
ブロック画像と復号画像メモリ１０６に格納された複数の参照画像より、参照画像毎の動
きベクトル値を算出する（Ｓ５０１）。
【００４５】
続いて、予測モード判定部１０９は、動きベクトル検出部１０７より供給される動きベ
クトルと、動き情報メモリ１１１に格納された動き情報を用いて、実施の形態１において
定義した動き補償予測モードのそれぞれに対する予測信号を、動き補償予測部１０８を用
いて取得し、最適な予測モードを選択し、予測信号を生成する（Ｓ５０２）。ステップＳ
５０２の処理の詳細については後述する。
【００４６】
続いて、減算部１０１は、処理対象の予測ブロック画像と予測モード判定部１０９より
供給された予測信号との差分を予測誤差信号として算出する（Ｓ５０３）。動き情報符号
化部１１０は、予測モード判定部１０９より供給される予測モード、及び予測モードに応
じた予測方向、動きベクトル、及び参照画像指定情報を特定する情報を所定のシンタック
ス構造に従って符号化し、動き情報の符号化データを生成する（Ｓ５０４）。ステップＳ
５０４の処理の詳細については後述する。
【００４７】
続いて、予測誤差符号化部１０３は、直交変換・量子化部１０２で生成された量子化さ
れた予測誤差信号をエントロピー符号化して、予測誤差の符号化データを生成する（Ｓ５
０５）。多重化部１１２は、動き情報符号化部１１０から供給される動き情報の符号化デ
ータと、予測誤差符号化部１０３から供給される予測誤差の符号化データを多重化し、符
号化ビットストリームを生成する（Ｓ５０６）。
【００４８】
加算部１０５は、逆量子化・逆変換部１０４より供給される復号予測誤差信号と、予測
モード判定部１０９より供給される予測信号を加算して、復号画像信号を生成する（Ｓ５
０７）。加算部１０５によって、生成された復号画像信号が復号画像メモリ１０６に供給
、格納され、以降に符号化する符号化画像の動き補償予測処理に用いられる（Ｓ５０８）
。動き情報メモリ１１１は、動きベクトル検出部１０７より供給される動き情報（予測方
向、動きベクトル、及び参照画像指定情報）を最小の予測ブロックサイズ単位で格納する
（Ｓ５０９）。
【００４９】
［動画像復号装置全体構成］
図６は、本発明の実施の形態１に係る動画像復号装置の構成を示す図である。以下、各
部の動作について説明する。実施の形態１に係る動画像復号装置は、入力端子６００、多
重分離部６０１、予測差分情報復号部６０２、逆量子化・逆変換部６０３、加算部６０４
、復号画像メモリ６０５、動き情報復号部６０６、動き情報メモリ６０７、動き補償予測
部６０８、及び出力端子６０９を備える。
【００５０】
入力端子６００より符号化ビットストリームが多重分離部６０１に供給される。多重分
離部６０１は、供給された符号化ビットストリームの符号列を予測誤差情報の符号化列と
、予測モード、並びに予測モードに応じた予測方向、動きベクトル、及び参照画像指定情
報を特定する情報で構成される動き情報の符号化列に分離する。当該予測誤差情報の符号
化列を予測差分情報復号部６０２に供給し、当該動き情報の符号化列を動き情報復号部６
０６に供給する。
【００５１】
予測差分情報復号部６０２は、多重分離部６０１より供給された予測誤差情報の符号化
列を復号し、量子化された予測誤差信号を生成する。予測差分情報復号部６０２は、生成
した量子化された予測誤差信号を逆量子化・逆変換部６０３に供給する。
【００５２】
逆量子化・逆変換部６０３は、予測差分情報復号部６０２より供給される量子化された
予測誤差信号を逆量子化や逆直交変換などの処理を行って予測誤差信号を生成し、復号予
測誤差信号を加算部６０４に供給する。
【００５３】
加算部６０４は、逆量子化・逆変換部６０３より供給される復号予測誤差信号と、動き
補償予測部６０８より供給される予測信号を加算して復号画像信号を生成し、復号画像信
号を復号画像メモリ６０５に供給する。
【００５４】
復号画像メモリ６０５は、図１の動画像符号化装置における復号画像メモリ１０６と同
じ機能を有し、加算部６０４から供給された復号画像信号を格納し、参照画像信号を動き
補償予測部６０８に供給する。また、復号画像メモリ６０５は、格納された復号画像信号
を再生時刻に合わせて、画像の表示順序に従い出力端子６０９に供給する。
【００５５】
動き情報復号部６０６は、多重分離部６０１より供給される動き情報の符号化列より、
予測モード、並びに予測モードに応じた予測方向、動きベクトル、及び参照画像指定情報
を特定する情報を動き情報として復号する。復号した動き情報と、動き情報メモリ６０７
より供給される候補ブロック群の動き情報より、動き補償予測に用いる予測方向、動きベ
クトル及び参照画像指定情報を再生し、動き補償予測部６０８に供給する。また、動き情
報復号部６０６は再生した動き情報を、動き情報メモリ６０７に供給する。動き情報復号
部６０６の詳細な構成については後述する。
【００５６】
動き情報メモリ６０７は、図１の動画像符号化装置における動き情報メモリ１１１と同
じ機能を持ち、動き情報復号部６０６より供給される再生した動き情報を最小予測ブロッ
クサイズ単位を基準として所定画像分記憶する。また、動き情報メモリ６０７は、空間候
補ブロック群と時間候補ブロック群の動き情報を、候補ブロック群の動き情報として動き
情報復号部６０６に供給する。
【００５７】
動き補償予測部６０８は、図１の動画像符号化装置における動き補償予測部１０８と同
じ機能を持ち、動き情報復号部６０６より供給される動き情報に基づいて、復号画像メモ
リ６０５内の参照画像指定情報が示す参照画像を、動きベクトル値だけ予測ブロックの画
像信号と同一位置より移動させた位置の画像信号を取得して予測信号を生成する。動き補
償予測の予測方向が双方向であれば、各予測方向の予測信号を平均したものを予測信号と
して生成し、予測信号を加算部６０４に供給する。
【００５８】
出力端子６０９は、復号画像メモリ６０５より供給された復号画像信号を、ディスプレ
イなどの表示媒体に出力することで、復号画像信号が再生される。
【００５９】
図６に示した動画像復号装置の構成も、図１に示した動画像符号化装置の構成と同様に
、ＣＰＵ、フレームメモリ、ハードディスクなどを備える情報処理装置等のハードウェア
によっても実現可能である。
【００６０】
図７は、本発明の実施の形態１に係る動画像復号装置における復号処理の動作の流れを
示すフローチャートである。多重分離部６０１は、入力端子６００より供給された符号化
ビットストリームを予測誤差情報の符号化列と、動き情報の符号化列に分離する（Ｓ７０
０）。分離された動き情報の符号化列は動き情報復号部６０６に供給され、動き情報メモ
リ６０７より供給される候補ブロック群の動き情報を用いて、復号対象ブロックの動き情
報を復号する（Ｓ７０１）。
【００６１】
分離された予測誤差情報の符号化列は、予測差分情報復号部６０２に供給され、量子化
された予測誤差信号として復号され、逆量子化・逆変換部６０３で逆量子化や逆直交変換
などの処理を施されることで、復号予測誤差信号が生成される（Ｓ７０２）。ステップＳ
７０２の処理の詳細については後述する。
【００６２】
動き情報復号部６０６より、復号対象ブロックの動き情報が動き補償予測部６０８に供
給され、動き補償予測部６０８は動き情報にしたがって動き補償予測を行い予測信号を算
出する（Ｓ７０３）。加算部６０４は、逆量子化・逆変換部６０３から供給された復号予
測誤差信号と、動き補償予測部６０８から供給された予測信号とを加算し、復号画像信号
を生成する（Ｓ７０４）。
【００６３】
加算部６０４より供給された復号画像信号は、復号画像メモリ６０５に格納される（Ｓ
７０５）と共に、動き情報復号部６０６より供給された復号対象ブロックの動き情報が動
き情報メモリ６０７に格納される（Ｓ７０６）。これで、予測ブロック単位の復号処理が
終了する。
【００６４】
［実施の形態１の詳細機能説明］
本発明の実施の形態１に係る動画像符号化装置の予測モード判定部１０９及び動き情報
符号化部１１０の動作、図５のフローチャートにおけるステップＳ５０２及びステップＳ
５０４の処理、並びに本発明の実施の形態１に係る動画像復号装置における動き情報復号
部６０６の動作、図７のフローチャートにおけるステップＳ７０２の処理の詳細動作を、
以下説明する。
【００６５】
［実施の形態１における動き補償予測モードの定義］
図８（ａ）、（ｂ）は、本発明の実施の形態１における動き補償予測において使用され
る動き情報を符号化するための３つの予測モードを説明するための図である。第一の予測
モードは、予測対象ブロックと当該予測対象ブロックに隣接する符号化済ブロックにおけ
る時間方向や空間方向の動きの連続性を用いて、当該予測対象ブロックは自身の動き情報
を直接符号化せずに、空間及び時間的に隣接するブロックの動き情報を符号化に使用する
手法であり、結合予測モード（マージモード）と呼ぶ。
【００６６】
結合予測モードの場合には、複数の隣接ブロック候補より選択的に結合する動き情報が
定義でき、動き情報は使用する隣接ブロックを指定する情報（インデックス）を符号化す
ることで、指定情報をもとに取得した動き情報をそのまま動き補償予測に用いる。更に、
結合予測モードにおいては、予測差分情報を符号化伝送せずに、結合予測モードで予測さ
れた予測信号を復号ピクチャとするＳｋｉｐモードを定義し、結合した動き情報のみの少
ない情報で復号画像が再生できる構成を有する。Ｓｋｉｐモードにおいて伝送する動き情
報は、結合予測モードと同様に隣接ブロックを定義する指定情報となる。
【００６７】
第二の予測モードは、動き情報の構成要素を個別にすべて符号化し、予測ブロックに対
して予測誤差の少ない動き情報を伝送する手法であり、動き検出予測モードと呼ぶ。動き
検出予測モードは、従来の動き補償予測の動き情報の符号化と同様に、参照画像を特定す
るための情報（参照画像インデックス）と、動きベクトルを特定するための情報が別々に
符号化される。
【００６８】
動き検出予測モードには、片方向予測と双方向予測のどちらを使用するか予測モードで
指示し、片方向予測の場合には１つの参照画像に対する参照画像を特定する情報と、動き
ベクトルの予測ベクトルとの差分ベクトルを符号化する。双方向予測の場合には２つの参
照画像に対する参照画像を特定する情報と、動きベクトルがそれぞれ個別に符号化される
。動きベクトルに対する予測ベクトルは、ＡＶＣと同様に隣接ブロックの動き情報から生
成されるが、結合予測モードと同様に、複数の隣接ブロック候補より予測ベクトルに用い
る動きベクトルを選択でき、動きベクトルは予測ベクトルに使用する隣接ブロックを指定
する情報（インデックス）と差分ベクトルの２つを符号化することで伝送される。
【００６９】
第三の予測モードは、隣接ブロックの動き情報に対して、動きベクトル値を修正するた
めの差分ベクトル値を追加で符号化することで、隣接ブロックから生成される動き情報に
対して一部の動きベクトルに対する修正を行い、動き情報として符号化する手法であり、
結合動き修正予測モード（マージＭＶＤモード）と呼ぶ。結合動き修正予測モードにおい
て伝送する動き情報は、結合予測モードと同様に、隣接ブロックを指定する情報に加えて
、修正する動きベクトルに対する差分ベクトル値となる。実施の形態１における、結合動
き修正予測モードでは、差分ベクトル値は常に１つ伝送され、動き補償予測の予測方向は
双方向予測となる。
【００７０】
この結合動き修正予測モードを有する構成が、結合動き修正予測モードを有さない従来
の構成に対して符号化効率を向上させる要因となる。つまり、結合動き修正予測モードで
は、結合予測モードにおいて符号化する情報に対して、動きベクトルを修正するための差
分ベクトルを符号化して追加する。これにより、動きの連続性が十分保たれていない場合
や、他ブロックの動き情報における動きベクトルが正確な動きを示していない場合などに
、隣接ブロックから生成される動き情報に対して、動きベクトルのみを修正することで、
予測残差が少ない動き補償予測信号を生成する動き情報を、少ない情報で表現することが
できる。
【００７１】
図９は、動き補償予測および動き補償予測を実施しない画面内予測における、動き補償
の予測方向と、参照画像を定義する情報、及び符号化する動きベクトル数の関連に関して
説明するための図である。
【００７２】
動き検出予測モードの内、予測方向が片方向である片方向予測モード（ＵｎｉＰｒｅｄ
）の場合は、符号化する動き情報として１つの符号化ベクトル、１つの参照画像インデッ
クス、１つの予測ベクトルインデックスが伝送される。
【００７３】
同様に予測方向が双方向である双方向予測モード（ＢｉＰｒｅｄ）の場合は、符号化す
る動き情報として２つの符号化ベクトル、２つの参照画像インデックス、２つの予測ベク
トルインデックスが伝送される。
【００７４】
結合予測モード（Ｍｅｒｇｅ）の場合には、１つの結合動き情報インデックスのみが符
号化する動き情報として伝送され、動き情報に基づいて片方向もしくは双方向の動き補償
予測が施される。
【００７５】
結合動き修正予測モード（ＭｅｒｇｅＭｖｄ）の場合には、１つの結合動き情報インデ
ックスと１つの符号化ベクトルが符号化する動き情報として伝送され、動き情報と動きベ
クトルの修正情報に従って、双方向の動き補償予測が施される。
【００７６】
動き補償予測を実施しない予測符号化モードであるイントラモード（Ｉｎｔｒａ）にお
いては、動き情報は符号化されない。
【００７７】
隣接する動き情報との時間的・空間的な相関性が非常に高い場合には、結合予測モード
が有効な動き補償予測モードとして選択される。相関性が低い場合もしくは一部の動き情
報のみが有効に予測ブロックの動き情報として利用できる場合には、動き検出予測モード
が有効な動き補償予測モードとして選択される。相関性が高いが動きに微小なずれを生じ
ている場合や、隣接するブロックの動き情報が正確な動きを示していない場合、また大部
分の動き情報が有効であるが一部の動き情報のみ相関性が十分でない場合などに、結合動
き修正予測モードが有効な動き補償予測モードとして選択される。このように、状況に応
じて、符号化効率の高い動き補償予測を選択できる。
【００７８】
［実施の形態１における動画像符号化装置における予測モード判定部の詳細動作説明］
図１０は、実施の形態１の動画像符号化装置における予測モード判定部１０９の詳細な
構成を示す図である。予測モード判定部１０９は、最適な動き補償予測モードを決定する
機能を有する。
【００７９】
予測モード判定部１０９は、片方向動き補償予測生成部１０００、双方向動き補償予測
生成部１００１、予測誤差算出部１００２、予測ベクトル算出部１００３、差分ベクトル
算出部１００４、動き情報符号量算出部１００５、予測モード評価部１００６、結合動き
情報算出部１００７、結合動き補償予測生成部１００８、及び結合動き修正動き補償予測
生成部１００９を含む。
【００８０】
図１における予測モード判定部１０９に対して、動きベクトル検出部１０７より入力さ
れた動きベクトル値が、片方向動き補償予測生成部１０００、双方向動き補償予測生成部
１００１、及び結合動き修正動き補償予測生成部１００９に供給され、動き情報メモリ１
１１より入力された動き情報が、予測ベクトル算出部１００３、及び結合動き情報算出部
１００７に供給される。
【００８１】
また、動き補償予測部１０８に対して、片方向動き補償予測生成部１０００、双方向動
き補償予測生成部１００１、結合動き補償予測生成部１００８、及び結合動き修正動き補
償予測生成部１００９から、動き補償予測に用いる参照画像指定情報と動きベクトルが出
力される。また、動き補償予測部１０８より、生成された動き補償予測画像が予測誤差算
出部１００２に供給される。予測誤差算出部１００２には更に、入力端子１００より符号
化対象となる予測ブロックの画像信号が供給される。
【００８２】
また、予測モード評価部１００６から、動き情報符号化部１１０に対して符号化する動
き情報と確定した予測モード情報を供給し、動き情報メモリ１１１に動き情報を供給し、
動き補償予測信号を減算部１０１及び加算部１０５に供給する。
【００８３】
片方向動き補償予測生成部１０００は、片方向予測に使用可能な各参照画像に対して算
出された動きベクトル値を受信し、参照画像指定情報を予測ベクトル算出部１００３に供
給し、参照画像指定情報と動きベクトルを動き補償予測部１０８に出力する。
【００８４】
双方向動き補償予測生成部１００１も同様に、双方向予測に使用可能な各参照画像に対
して算出された動きベクトル値を受信し、それぞれの参照画像に対する参照画像指定情報
を予測ベクトル算出部１００３に供給し、それぞれの参照画像に対する参照画像指定情報
と動きベクトルを動き補償予測部１０８に出力する。
【００８５】
予測誤差算出部１００２は、入力された動き補償予測画像と処理対象の予測ブロック画
像より、予測誤差評価値を算出する。誤差評価値を算出するための演算としては、動きベ
クトル検出における誤差評価値と同様に、画素毎の差分絶対値の総和ＳＡＤや、画素毎の
二乗誤差値の総和ＳＳＥ等を使用できる。更に、予測残差の符号化を行う際に施される、
直交変換・量子化を行うことによって復号画像に生じる歪成分の量を加味することで、よ
り正確な誤差評価値が算出可能である。この場合には、予測誤差算出部１００２内に、図
１における減算部１０１、直交変換・量子化部１０２、逆量子化・逆変換部１０４、加算
部１０５の機能を有することで実現できる。予測誤差算出部１００２は、各予測モードに
おいて算出された予測誤差評価値と、動き補償予測信号を予測モード評価部１００６に供
給する。
【００８６】
予測ベクトル算出部１００３は、片方向動き補償予測生成部１０００及び双方向動き補
償予測生成部１００１より参照画像指定情報を供給され、動き情報メモリ１１１から供給
される隣接ブロックの動き情報における候補ブロック群より、指定された参照画像に対す
る動きベクトル値を特定する。そして、複数の予測ベクトルを予測ベクトル候補リストと
共に生成し、差分ベクトル算出部１００４に、参照画像指定情報と共に供給する。
【００８７】
図１１は、予測ベクトル算出部１００３の構成を示す図である。予測ベクトル算出部１
００３は、予測ベクトル候補リスト生成部１１００及び予測ベクトル候補リスト削除部１
１０１を含み、候補ブロック群より所定の順番で予測ベクトルの候補を作成し、その中か
ら同一の動きベクトル値を示す候補を削除することで、有効な予測ベクトルのみを予測ベ
クトル候補として登録する。予測ベクトル算出部１００３の詳細動作に関しては、後述す
る。
【００８８】
図１０に戻り、差分ベクトル算出部１００４は、予測ベクトル算出部１００３より供給
された、予測ベクトル候補のそれぞれに対して、片方向動き補償予測生成部１０００及び
双方向動き補償予測生成部１００１から供給される動きベクトル値との差分を計算し、差
分ベクトル値を算出する。算出された差分ベクトル値と予測ベクトル候補に対する指定情
報である予測ベクトルインデックスを符号化した際の符号量が最も少ない情報量で、動き
ベクトル値を表現出来る差分ベクトルとなる。従って、最も少ない情報量である予測ベク
トルに対する予測ベクトルインデックスと差分ベクトル値を参照画像指定情報と共に、動
き情報符号量算出部１００５に供給する。
【００８９】
動き情報符号量算出部１００５は、差分ベクトル算出部１００４より供給される、片方
向予測モード及び双方向予測モードの差分ベクトル値、参照画像指定情報、予測ベクトル
インデックス、予測モードより、各予測モードにおける動き情報に要する符号量を算出す
る。また、動き情報符号量算出部１００５は、結合動き補償予測生成部１００８より、結
合予測モードにおいて伝送する必要がある、結合動き情報インデックスと予測モードを示
すための情報を受け取り、結合予測モードにおける動き情報に要する符号量を算出する。
【００９０】
同様に、動き情報符号量算出部１００５は、結合動き修正動き補償予測生成部１００９
より、結合動き修正予測モードにおいて伝送する必要がある、結合動き情報インデックス
と差分ベクトル値と予測モードを示すための情報を受け取り、結合動き修正予測モードに
おける動き情報に要する符号量を算出する。動き情報符号量算出部１００５は、各予測モ
ードにおいて算出された動き情報及び動き情報に要する符号量を予測モード評価部１００
６に供給する。
【００９１】
予測モード評価部１００６は、予測誤差算出部１００２より供給された各予測モードの
予測誤差評価値と、動き情報符号量算出部１００５から供給された各予測モードの動き情
報符号量を用いて、各予測モードの総合動き補償予測誤差評価値を算出し、最も少ない評
価値である予測モードを選択し、選択した予測モードと選択した予測モードに対する動き
情報を、動き情報符号化部１１０及び動き情報メモリ１１１に出力する。また、予測モー
ド評価部１００６は同様に、予測誤差算出部１００２より供給された動き補償予測信号に
対して、選択した予測モードにおける予測信号を選択して減算部１０１及び加算部１０５
に出力する。
【００９２】
結合動き情報算出部１００７は、動き情報メモリ１１１より供給される隣接ブロックの
動き情報における候補ブロック群を用いて、片方向であるか双方向であるかを示す予測方
向、参照画像指定情報、動きベクトル値で構成される動き情報として、複数の動き情報を
結合動き情報候補リストと共に生成し、結合動き補償予測生成部１００８及び結合動き修
正動き補償予測生成部１００９に供給する。
【００９３】
図１２は、結合動き情報算出部１００７の構成を示す図である。結合動き情報算出部１
００７は、結合動き情報候補リスト生成部１２００及び結合動き情報候補リスト削除部１
２０１を含む。結合動き情報算出部１００７は、候補ブロック群より所定の順番で動き情
報の候補を作成し、その中から、動き情報の各要素（予測方向、参照画像指定情報、及び
動きベクトル値）が全て同一の値を示している候補を削除することで、有効な動き情報の
みを結合動き情報候補として登録する。結合動き情報算出部１００７の詳細動作に関して
は、後述する。
【００９４】
図１０に戻り、結合動き補償予測生成部１００８は、結合動き情報算出部１００７より
供給された結合動き情報候補リストより、登録された結合動き情報候補のそれぞれに対し
て、動き情報より、予測方向に応じて１つの参照画像（片方向）もしくは２つの参照画像
（双方向）の参照画像指定情報と動きベクトル値を動き補償予測部１０８に指定して、動
き補償予測画像を生成すると共に、それぞれの結合動き情報インデックスを動き情報符号
量算出部１００５に供給する。結合動き補償予測生成部１００８の詳細動作に関しては、
後述する。
【００９５】
図１０の構成では、それぞれの結合動き情報インデックスにおける予測モード評価は、
予測モード評価部１００６で施されるが、予測誤差評価値及び動き情報符号量を予測誤差
算出部１００２及び動き情報符号量算出部１００５より受け取り、結合動き補償予測生成
部１００８内で、最適な結合動き補償予測の結合動きインデックスを確定させた後に、他
の予測モードを含めた最適予測モードの評価を行う構成を取ることも可能である。
【００９６】
結合動き修正動き補償予測生成部１００９は、結合動き情報算出部１００７より供給さ
れた結合動き情報候補リスト、登録された結合動き情報候補に対して、双方向の動き情報
を算出する。そして、その中で動きベクトル値を修正する参照画像を特定し、特定した参
照画像の参照画像指定情報に対して、動きベクトル検出部１０７で検出された動きベクト
ル値を入力し、差分ベクトル値を計算する。そして、双方向の参照画像指定情報と修正し
た動きベクトル値を含む、動き補償予測に用いる動きベクトル値を動き補償予測部１０８
に指定して、動き補償予測画像を生成すると共に、それぞれに結合動き情報インデックス
と伝送する差分ベクトル値を動き情報符号量算出部１００５に供給する。
【００９７】
図１３は、結合動き修正動き補償予測生成部１００９の構成を示す図である。結合動き
修正動き補償予測生成部１００９は、基準参照画像・動き修正参照画像選択部１３００、
動き修正参照画像動きベクトル取得部１３０１、結合動き情報修正動き補償予測生成部１
３０２、及び差分ベクトル算出部１３０３を含む。
【００９８】
基準参照画像・動き修正参照画像選択部１３００は登録された結合動き情報候補に対し
て、双方向の動き情報を算出して動きベクトル値を修正する参照画像を特定する機能を有
する。動き修正参照画像動きベクトル取得部１３０１は特定した参照画像の参照画像指定
情報に対する動きベクトル値を入力する機能を有する。結合動き情報修正動き補償予測生
成部１３０２は動き補償予測に用いる動きベクトル値と参照画像指定情報を動き補償予測
部１０８に出力する機能をする。差分ベクトル算出部１３０３は基準参照画像・動き修正
参照画像選択部１３００で算出された動き情報の動きベクトル値と、動きベクトル検出部
１０７から入力された動きベクトル値の差分ベクトル値を算出する機能を有する。結合動
き修正動き補償予測生成部１００９の詳細動作は後述する。
【００９９】
図１４は、図１０の予測モード判定部１０９を介して動作する、図５のステップＳ５０
２である動き補償予測モード／予測信号生成の動作について説明するためのフローチャー
トである。最初に、結合動き情報候補リスト生成を行い（Ｓ１４００）、結合予測モード
評価値を生成する（Ｓ１４０１）。
【０１００】
続いて、ステップＳ１４００で生成された結合動き情報候補リストを用いて、結合動き
修正予測モード評価値を生成し（Ｓ１４０２）、片方向予測モード評価値を生成し（Ｓ１
４０３）、双方向予測モード評価値を生成し（Ｓ１４０４）、生成した評価値を比較する
ことで最適な予測モードを選択する（Ｓ１４０５）。ただし、ステップＳ１４０１、ステ
ップＳ１４０２、ステップＳ１４０３、及びステップＳ１４０４の評価値生成の順序はこ
の順序に限らない。
【０１０１】
選択された予測モードに従い予測信号を出力し（Ｓ１４０６）、選択された予測モード
に従い動き情報を出力する（Ｓ１４０７）ことで、予測ブロック単位の動き補償予測モー
ド／予測信号生成処理が終了する。ステップＳ１４００、ステップＳ１４０１、ステップ
Ｓ１４０２、ステップＳ１４０４、及びステップＳ１４０４の詳細動作に関しては後述す
る。
【０１０２】
図１５は、図１４のステップＳ１４００における結合動き情報候補リスト生成の詳細動
作を説明するためのフローチャートである。この動作は、図１０の結合動き情報算出部１
００７における構成の詳細動作を示している。図１２の結合動き情報候補リスト生成部１
２００は、動き情報メモリ１１１より供給される空間候補ブロック群から領域外である候
補ブロックやイントラモードである候補ブロックを除いた候補ブロック群から、空間結合
動き情報候補リストを生成する（Ｓ１５００）。空間結合動き情報候補リスト生成の詳細
な動作は後述する。
【０１０３】
結合動き情報候補リスト生成部１２００は、続いて動き情報メモリ１１１より供給され
る時間候補ブロック群から領域外である候補ブロックやイントラモードである候補ブロッ
クを除いた候補ブロック群から、時間結合動き情報候補リストを生成する（Ｓ１５０１）
。時間結合動き情報候補リスト生成の詳細な動作は後述する。
【０１０４】
続いて、結合動き情報候補リスト削除部１２０１において、生成された空間結合動き情
報候補リストと時間結合動き情報候補リストを統合した結合動き情報候補リストより、重
複している動き情報を持つ結合動き情報候補が複数存在する場合には１つの結合動き情報
候補を残して削除して動き情報候補リストを更新する（Ｓ１５０２）。
【０１０５】
最後に、上記処理において隣接ブロックに有効な動き情報が存在せず、結合動き情報候
補が存在しない場合（Ｓ１５０３：ＹＥＳ）、固定の動き情報を結合動き情報候補リスト
に追加して（Ｓ１５０４）、処理を終了する。実施の形態１における固定の動き情報とし
ては、予測方向が双方向で、参照画像指定情報（インデックス）が０、２つの動きベクト
ル値が共に（０，０）の値を設定する。実施の形態１における固定の動き情報としては、
上記設定には限定されず、暗黙的に指定できる手法で設定されることにより、動画像復号
装置においても同じ動き情報が再現できる。なお、上記処理において隣接ブロックに有効
な動き情報が存在し、結合動き情報候補が存在する場合（Ｓ１５０３：ＮＯ）、ステップ
Ｓ１５０４をスキップして、処理を終了する。
【０１０６】
動き情報メモリ１１１より、結合動き情報算出部１００７に供給される動き情報の候補
ブロック群には、空間候補ブロック群と時間候補ブロック群が含まれる。まず、空間結合
動き情報候補リスト生成について説明する。
【０１０７】
図１６は、空間結合動き情報候補リスト生成に用いる空間候補ブロック群を示す図であ
る。空間候補ブロック群は、符号化対象画像の予測対象ブロックに隣接している同一画像
のブロックを示す。ブロック群は、その管理が最小予測ブロックサイズ単位で行われ、図
１６に示すようなＡ１〜Ａ４、Ｂ１〜Ｂ４、Ｃ、Ｄ、Ｅの位置のブロックが隣接するブロ
ック群となる。候補ブロックの位置は、最小予測ブロックサイズの単位で管理されるが、
隣接ブロックの予測ブロックサイズが最小予測ブロックサイズよりも大きな場合には、予
測ブロックサイズ内の全ての候補ブロックに同一の動き情報が格納される。実施の形態１
においては、これら隣接するブロック群の内、空間候補ブロック群をブロックＡ１、ブロ
ックＢ１、ブロックＣ、ブロックＤの４ブロックとする。
【０１０８】
図１７は、空間結合動き情報候補リスト生成の詳細動作を説明するためのフローチャー
トである。空間候補ブロック群に含まれる４つの候補ブロックであるブロックＡ１、ブロ
ックＢ１、ブロックＣ、ブロックＤについて以下の処理を繰り返し行う（Ｓ１７００から
Ｓ１７０３）。
【０１０９】
最初に候補ブロックの有効性を検査する（Ｓ１７０１）。候補ブロックが領域外でなく
イントラモードでない場合（Ｓ１７０１：ＹＥＳ）、候補ブロックは有効となる。候補ブ
ロックが有効であれば、候補ブロックの動き情報を空間結合動き情報候補リストに追加す
る（Ｓ１７０２）。
【０１１０】
ここでは、空間結合動き情報候補リストには４以下の候補ブロックの動き情報が含まれ
るとしたが、空間候補ブロック群は、処理対象の予測ブロックに隣接する少なくとも１以
上の処理済みのブロックであり、候補ブロックの有効性によって空間結合動き情報候補リ
ストの数が変動すればよく、これに限定されない。なお、候補ブロックが領域外またはイ
ントラモードの場合（Ｓ１７０１：ＮＯ）、ステップＳ１７０２をスキップし、次の候補
ブロックの有効／無効判定が行われる。
【０１１１】
続いて、時間結合動き情報候補リスト生成について説明する。図１８は、時間結合動き
情報候補リスト生成に用いる時間候補ブロック群を示す図である。時間候補ブロック群は
、予測対象ブロックとは別の復号済みの画像ＣｏｌＰｉｃにおける予測対象ブロックと同
位置及びその周辺にあるブロックを示す。図１８におけるＡ１〜Ａ４、Ｂ１〜Ｂ４、Ｃ、
Ｄ、Ｅ、Ｆ１〜Ｆ４、Ｇ１〜Ｇ４、Ｈ、Ｉ１〜Ｉ１６の位置のブロックが、時間的に隣接
するブロック群となる。実施の形態１においては、これら時間的に隣接するブロック群の
内、時間候補ブロック群をブロックＨとブロックＩ６の２ブロックとする。
【０１１２】
図１９は、時間結合動き情報候補リスト生成の詳細動作を説明するためのフローチャー
トである。時間候補ブロック群に含まれる２つの候補ブロックであるブロックＨとブロッ
クＩ６について（ステップ１９００、ステップＳ１９０５）、候補ブロックの有効性を検
査する（Ｓ１９０１）。候補ブロックが有効である場合（Ｓ１９０１：ＹＥＳ）、ステッ
プＳ１９０２〜ステップＳ１９０４の処理が行われ、生成された動き情報が時間結合動き
情報候補リストに登録され、処理が終了する。候補ブロックが画面領域外の位置を示す場
合や、候補ブロックがイントラ予測ブロックである場合（Ｓ１９０１：ＮＯ）、候補ブロ
ックが有効でなく、次の候補ブロックの有効／無効判定が行われる。
【０１１３】
候補ブロックが有効である場合（Ｓ１９０１：ＹＥＳ）、候補ブロックの動き情報をも
とに結合動き情報候補に登録する参照画像選択候補を確定する（Ｓ１９０２）。実施の形
態１ではＬ０方向の参照画像を、Ｌ０方向の参照画像のうち処理対象画像に最も近い距離
にある参照画像とし、Ｌ１方向の参照画像を、Ｌ１方向の参照画像のうち処理対象画像に
最も近い距離にある参照画像とする。
【０１１４】
ここでの参照画像選択候補の確定手法は、Ｌ０方向の参照画像とＬ１方向の参照画像が
決定できればよく、これに限定されない。符号化処理と復号処理で同一の手法で参照画像
を確定することで、符号化時に意図した参照画像を確定できる。他の確定手法としては、
例えばＬ０方向の参照画像及びＬ１方向の参照画像の参照画像インデックスが０である参
照画像を選択する手法や、空間隣接ブロックが使用しているＬ０参照画像及びＬ１参照画
像で、最も多く使用されている参照画像を予測対象ブロックにおける参照画像として選択
する手法や、符号化ストリーム中で各方向の参照画像を指定する手法を用いることが可能
である。
【０１１５】
次に、候補ブロックの動き情報をもとに結合動き情報候補に登録する動きベクトル値を
確定する（Ｓ１９０３）。実施の形態１における、時間結合動き情報は、候補ブロックの
動き情報で有効な予測方向である動きベクトル値をもとに、双方向の動き情報を算出する
。候補ブロックの予測方向がＬ０予測もしくはＬ１予測の片方向の場合には、予測に用い
られている方向（Ｌ０方向或いはＬ１方向）の動き情報を選択し、その参照画像指定情報
と動きベクトル値を双方向動き情報生成の基準値とする。
【０１１６】
候補ブロックの予測方向が双方向である場合には、Ｌ０予測或いはＬ１予測のどちらか
一方の動き情報を基準値として選択する。基準値の選択方法は、例えばＣｏｌＰｉｃと同
じ予測方向に存在する動き情報を選択する、候補ブロックのＬ０予測、Ｌ１予測のそれぞ
れの参照画像でＣｏｌＰｉｃとの画像間距離が近い方を選択する、或いは候補ブロックの
Ｌ０予測、Ｌ１予測のそれぞれの動きベクトルが符号化処理対象画像と交差する方を選択
する等が挙げられる。
【０１１７】
双方向動き情報生成の基準とする動きベクトル値が確定したら、結合動き情報候補に登
録する動きベクトル値を算出する。
【０１１８】
図２０は、時間結合動き情報に対する基準動きベクトル値ＣｏｌＭｖに対する、Ｌ０予
測、Ｌ１予測に対して登録する動きベクトル値ｍｖＬ０ｔ、ｍｖＬ１ｔの算出手法を説明
するための図である。基準動きベクトル値ＣｏｌＭｖに対するＣｏｌＰｉｃと候補ブロッ
クの基準とする動きベクトルの対象となる参照画像との画像間距離をＣｏｌＤｉｓｔとす
る。Ｌ０予測、Ｌ１予測の各参照画像と処理対象画像との画像間距離をＣｕｒｒＬ０Ｄｉ
ｓｔ、ＣｕｕｒＬ１Ｄｉｓｔとする。ＣｏｌＭｖを、ＣｏｌＤｉｓｔとＣｕｒｒＬ０Ｄｉ
ｓｔ、ＣｕｒｒＬ１Ｄｉｓｔの距離比率でスケーリングした動きベクトルを、それぞれに
登録する動きベクトルとする。具体的には、登録する動きベクトル値ｍｖＬ０ｔ、ｍｖＬ
１ｔは、下記式１、２で算出される。
ｍｖＬ０ｔ＝ｍｖＣｏｌ×ＣｕｒｒＬ０Ｄｉｓｔ／ＣｏｌＤｉｓｔ    ・・・（式１）
ｍｖＬ１ｔ＝ｍｖＣｏｌ×ＣｕｒｒＬ１Ｄｉｓｔ／ＣｏｌＤｉｓｔ    ・・・（式２）
となる。
【０１１９】
図１９に戻り、このようにして生成された、双方向の参照画像選択情報（インデックス
）と、動きベクトル値を結合動き情報候補に追加し（Ｓ１９０４）、時間結合動き情報候
補リスト作成処理が終了する。
【０１２０】
図２１は、図１９のステップＳ１４０１における結合予測モード評価値生成の詳細動作
を説明するためのフローチャートである。この動作は、図１０の結合動き補償予測生成部
１００８を用いた構成の詳細動作を示している。
【０１２１】
最初に予測誤差評価値を最大値に設定し、予測誤差が最小となる結合動き情報インデッ
クスを初期化（例えば、−１などのリスト外の値）する（Ｓ２１００）。結合動き情報候
補リスト生成処理により、生成された結合動き情報候補リストの数をｎｕｍ＿ｏｆ＿ｉｎ
ｄｅｘとすると、ｉ＝０からｎｕｍ＿ｏｆ＿ｉｎｄｅｘ−１までの結合動き情報候補につ
いて以下の処理を繰り返し行う（Ｓ２１０１からＳ２１０９）。
【０１２２】
先ず、結合動き情報候補リストよりインデックスｉに格納された動き情報を取得する（
Ｓ２１０２）。続いて動き情報符号量を算出する（Ｓ２１０３）。結合予測モードにおい
ては、結合動き情報インデックスのみが符号化されるので、結合動き情報インデックスの
みが動き情報符号量となる。結合動き情報インデックスの符号列としては、実施の形態１
では、Ｔｒｕｎｃａｔｅｄ  Ｕｎａｒｙ符号列を用いる。
【０１２３】
続いて、動き情報の予測方向が片方向である場合（Ｓ２１０４：ＹＥＳ）、１つの参照
画像に対する参照画像指定情報と動きベクトルを、図１における動き補償予測部１０８に
設定して、片方向動き補償予測ブロックを生成する（Ｓ２１０５）。動き情報が片方向で
ない場合（Ｓ２１０４：ＮＯ）、２つの参照画像に対する参照画像指定情報と動きベクト
ルを動き補償予測部１０８に設定して、双方向動き補償予測ブロックを生成する（Ｓ２１
０６）。
【０１２４】
続いて、動き補償予測ブロックと予測対象ブロックの予測誤差と動き情報符号量より、
予測誤差評価値を算出し（Ｓ２１０７）、予測誤差評価値が最小値である場合には評価値
を更新すると共に、予測誤差最小インデックスを更新する（Ｓ２１０８）。
【０１２５】
全ての結合動き情報候補についての予測誤差評価値が比較された結果、選択された予測
誤差最小インデックスを、結合予測モードで用いる結合動き情報インデックスとして、予
測誤差最小値、動き補償予測ブロックと共に出力し（Ｓ２１１０）、結合予測モード評価
値生成処理を終了する。
【０１２６】
図２２は、図１４のステップＳ１４０２における結合動き修正予測モード評価値生成の
詳細動作を説明するためのフローチャートである。この動作は、図１０の結合動き修正動
き補償予測生成部１００９を用いた構成の詳細動作を示している。
【０１２７】
最初に予測誤差評価値を最大値に設定し、予測誤差が最小となる結合動き情報インック
スを初期化（例えば、−１などのリスト外の値）する（Ｓ２２００）。結合動き情報候補
リスト生成処理により、生成された結合動き情報候補リストの数をｎｕｍ＿ｏｆ＿ｉｎｄ
ｅｘとすると、ｉ＝０からｎｕｍ＿ｏｆ＿ｉｎｄｅｘ−１までの結合動き情報候補につい
て以下の処理を繰り返し行う（Ｓ２２０１からＳ２２１０）。
【０１２８】
先ず、結合動き情報候補リストよりインデックスｉに格納された動き情報を取得する（
Ｓ２２０２）。続いて、取得した動き情報より双方向予測の動きベクトル値と参照画像指
定情報、及び差分ベクトルを伝送する参照画像となる動き修正参照画像を確定する（Ｓ２
２０３）。ステップＳ２２０３の詳細動作に関しては、後述する。
【０１２９】
次に、ステップＳ２２０３により確定された動き補正参照画像に対して、図１の動きベ
クトル検出部１０７より動き補正参照画像に対する検出した動きベクトル値を入力する（
Ｓ２２０４）。入力された動きベクトル値を動き補償予測に用いるため、結合動き情報候
補より算出された動き情報における、動き補正参照画像の動きベクトル値との差分ベクト
ルが生成される（Ｓ２２０５）。
【０１３０】
続いて、動き情報符号量を算出する（Ｓ２２０６）。結合動き修正予測モードにおいて
は、結合動き情報インデックスと差分ベクトル値が符号化されることで、必要な動き情報
が伝送される。そのため、結合動き情報インデックスの符号量と差分ベクトル値の符号量
が加算され、結合動き修正予測モードにおける動き情報符号量となる。
【０１３１】
結合修正動き予測モードの場合に、結合動き情報より生成された双方向予測の動きベク
トルと参照画像選択情報に対して、動き修正参照画像に対する修正した動きベクトルのみ
を入れ替えた動き情報を、図１における動き補償予測部１０８に設定して、双方向動き補
償予測ブロックを生成する（Ｓ２２０７）。
【０１３２】
動き補償予測ブロックと予測対象ブロックの予測誤差と動き情報符号量より、予測誤差
評価値を算出し（Ｓ２２０８）、予測誤差評価値が最小値である場合には評価値を更新す
ると共に、予測誤差最小インデックスを更新する（Ｓ２２０９）。
【０１３３】
全ての結合動き情報候補についての予測誤差評価値が比較された結果、選択された予測
誤差最小インデックスを、結合予測モードで用いる結合動き情報インデックスとして、予
測誤差最小値、動き補償予測ブロックと共に出力し（Ｓ２２１１）、結合動き修正予測モ
ード評価値生成処理を終了する。
【０１３４】
次に、ステップＳ２２０３の詳細動作を説明する前に、結合動き修正予測モードにおけ
る結合動き情報に対するスケーリング処理の説明を行う。図２３（ａ）〜（ｃ）は、結合
動き修正予測モードにおける結合動き情報に対するスケーリング処理の概念を示す図であ
る。結合動き情報としては、図２３（ａ）に示す空間隣接ブロックから算出された予測方
向が双方向である空間ＢｉＰｒｅｄと、図２３（ｂ）に示す空間隣接ブロックから算出さ
れた予測方向が片方向である空間ＵｎｉＰｒｅｄと、図２３（ｃ）に示す時間連接ブロッ
クから算出された時間ＢｉＰｒｅｄが存在する。
【０１３５】
実施の形態１における、結合動き情報に対するスケーリング処理は、双方向の動き情報
が取得できる空間ＢｉＰｒｅｄ及び時間ＢｉＰｒｅｄにおいては、結合動き情報算出時に
施された動きベクトルをそのまま用い、時間ＵｎｉＰｒｅｄに関しては、片方向で定義さ
れている動きベクトル値を、符号化対象画像とＬ０画像、Ｌ１画像との距離比率でスケー
リングすることで、使用されていなかった方向の動き情報を生成する。
【０１３６】
図２４は、各結合動き情報に対して存在するスケーリングされて生成した動きベクトル
数を示す図である。空間ＵｎｉＰｒｅｄが上記スケーリング処理における１個、空間Ｂｉ
Ｐｒｅｄは結合動き情報算出時にスケーリング処理が施されていないため０個、時間Ｂｉ
Ｐｒｅｄは結合動き情報算出時の２つの動きベクトル値の算出時にスケーリング処理が施
されているため２個となる。
【０１３７】
上記スケーリング処理が施された動きベクトル値は、隣接ブロックで使用された動きベ
クトル値をそのまま動きベクトル値として採用した結合動き情報と比較すると、スケーリ
ングによる演算誤差の影響や、動き量の時間変化が一定でない場合の影響があり、その動
き情報の精度にずれが生じている可能性が高い。また、隣接ブロックに使用された動きベ
クトル値は、符号化対象から時間的に離れた参照画像になるほど画面の変化が大きくなる
ため、その値の精度が低下する。
【０１３８】
実施の形態１においては、これらの結合動き情報に登録された動きベクトルの算出時の
特性を利用して、差分ベクトルを送って動きベクトルを修正する必要のある動きベクトル
を、付加情報を伝送することなく特定し、差分ベクトルのみを追加で符号化する。これに
より、動き補償予測の予測精度が高い動き情報を、少ない動き情報の伝送で実現すること
ができる。
【０１３９】
実施の形態１においては、スケーリングされて算出された動きベクトル値を持つ参照画
像を優先的に、差分ベクトルを伝送する動き修正参照画像に設定する。２つの動きベクト
ルが共にスケーリングされている場合や、共にスケーリングされていない場合には、予測
対象画像からの時間的距離が離れた参照画像を、差分ベクトルを伝送する動き修正参照画
像に設定する。
【０１４０】
図２５（ａ）〜（ｃ）は、実施の形態１における差分動きベクトル伝送参照画像確定ア
ルゴリズムを示す概念図である。図２５（ａ）に示す空間ＢｉＰｒｅｄでは、スケーリン
グされた動きベクトルが０個のため、時間的距離の遠い参照画像の動きベクトルに差分ベ
クトルを追加する。図２５（ｂ）に示す空間ＵｎｉＰｒｅｄでは、スケーリングされた動
きベクトルが１個のため、スケーリングされた動きベクトルに差分ベクトルを追加する。
図２５（ｃ）に示す時間ＢｉＰｒｅｄでは、スケーリングされた動きベクトルが２個のた
め、時間的距離の遠い参照画像の動きベクトルに差分ベクトルを追加する。
【０１４１】
図２６は、図２２のステップＳ２２０３の詳細動作を説明するためのフローチャートで
ある。図２２のステップＳ２２０３では、上記差分ベクトルを伝送する参照画像の確定処
理が行われる。
【０１４２】
最初に、取得した結合動き情報の予測方向が片方向である場合には（Ｓ２６００：ＹＥ
Ｓ）、空間ＵｎｉＰｒｅｄで導出された結合動き情報であり、双方向の動き補償予測を行
うための第２参照画像と第２参照画像の動きベクトル値を確定する処理を行う（Ｓ２６０
１）。ステップＳ２６０１の詳細動作に関しては、後述する。
【０１４３】
続いて、双方向の参照画像の動きベクトル値のうちスケーリングされた動きベクトルが
片方向の１つの動きベクトルのみである場合（Ｓ２６０２：ＹＥＳ）、スケーリングされ
た動きベクトル値を持つ参照画像を動き修正参照画像に設定する（Ｓ２６０３）。
【０１４４】
スケーリングされた動きベクトルが片方向の１つの動きベクトルでない場合（Ｓ２６０
２：ＮＯ）、符号化対象画像、Ｌ０参照画像、Ｌ１参照画像の時間情報を示すＰＯＣ値を
取得し、それぞれＰＯＣｃｕｒ、ＰＯＣ＿Ｌ０、ＰＯＣ＿Ｌ１に設定する（Ｓ２６０４）
。
【０１４５】
符号化対象画像と２つの参照画像の間での時間的距離を下記式３で比較する。
ａｂｓ（ＰＯＣｃｕｒ−ＰＯＣ＿Ｌ０）＞ａｂｓ（ＰＯＣｃｕｒ−ＰＯＣ＿Ｌ１）
・・・（式３）
【０１４６】
上記式３を満たす場合（Ｓ２６０５：ＹＥＳ）、Ｌ０参照画像が遠い参照画像と判断し
、Ｌ０参照画像を動き修正参照画像に設定する（Ｓ２６０６）。上記式３を満たさない場
合（Ｓ２６０５：ＮＯ）、Ｌ１参照画像を動き修正参照画像に設定する（Ｓ２６０７）。
以上で、双方向の動きベクトル値と差分ベクトルを伝送する参照画像を確定する処理が終
了する。
【０１４７】
図２７は、図２６のステップＳ２６０１の詳細動作を説明するためのフローチャートで
ある。最初に、結合動き情報に格納されている動き情報がＬ０予測であった場合（Ｓ２７
００：ＹＥＳ）、第２参照画像としてＬ１予測の参照画像インデックスを確定する（Ｓ２
７０１）。Ｌ０予測でない場合（Ｓ２７００：ＮＯ）、第２参照画像としてＬ０予測の参
照画像インデックスを確定する（Ｓ２７０２）。ステップＳ２７０２における参照画像イ
ンデックスの確定処理に関しては、後述する。
【０１４８】
続いて、符号化対象画像、結合動き情報に格納されている参照画像、第２参照画像のＰ
ＯＣ値を取得し、ＰＯＣｃｕｒ、ＰＯＣ＿Ｌｘ、ＰＯＣ＿Ｌｙに設定する（Ｓ２７０３）
。上記ＰＯＣ値を用いて、結合動き情報に格納されている動きベクトル値を２つの参照画
像と符号化対象画像との距離比率でスケーリングする（Ｓ２７０４）。
【０１４９】
結合動き情報に格納されている動き情報がＬ０予測であった場合（Ｓ２７０５：ＹＥＳ
）、スケーリングして生成された動きベクトル値をＬ１予測の参照画像に対する基準動き
ベクトル値として設定する（Ｓ２７０６）。Ｌ０予測でない場合（Ｓ２７０５：ＮＯ）、
スケーリングして生成された動きベクトル値をＬ０予測の参照画像に対する基準動きベク
トル値として設定し（Ｓ２７０７）、処理を終了する。
【０１５０】
図２８は、図２７のステップＳ２７０２の詳細動作を説明するためのフローチャートで
ある。図２７のステップＳ２７０２では、参照画像インデックスを確定する処理が行われ
る。
【０１５１】
最初に、結合動き情報に格納されている参照画像を基準参照画像として取得するととも
に、第２参照画像を設定する予測方向における参照画像リストを第２参照画像候補リスト
として取得する（Ｓ２８００）。
【０１５２】
次に、符号化対象画像を挟んで基準参照画像と反対方向の時間位置に存在する参照画像
が第２参照画像候補リスト内に存在するかを調べる（Ｓ２８０１）。存在する場合（Ｓ２
８０１：ＹＥＳ）、その中で最も符号化対象画像に近い時間位置に存在する参照画像を第
２参照画像に対する参照画像インデックスとして確定する（Ｓ２８０２）。存在しない場
合（Ｓ２８０１：ＮＯ）、符号化対象に最も近い時間位置に存在する参照画像を第２参照
画像候補と設定し（Ｓ２８０３）、基準参照画像と第２参照画像候補が同一画像であるか
を調べる（Ｓ２８０４）。
【０１５３】
基準参照画像と第２参照画像候補が同一画像でない場合（Ｓ２８０４：ＮＯ）、第２参
照画像候補を第２参照画像に対する参照画像インデックスとして確定する（Ｓ２８０５）
。基準参照画像と第２参照画像候補が同一画像である場合（Ｓ２８０４：ＹＥＳ）、他の
参照画像が第２参照画像候補リストに存在するかを調べる（Ｓ２８０６）。存在する場合
（Ｓ２８０６：ＹＥＳ）、時間位置で次に符号化対象画像に近い参照画像を取得し、第２
参照画像に対する参照画像インデックスとして確定する（Ｓ２８０７）。他の参照画像が
存在しない場合（Ｓ２８０６：ＮＯ）、ステップＳ２８０５に進み、第２参照画像候補を
第２参照画像に対する参照画像インデックスとして確定する。以上で全ての場合における
第２参照画像に対する参照画像インデックスが確定し、処理を終了する。
【０１５４】
実施の形態１における第２参照画像の確定アルゴリズムは、動き補償予測処理が双方向
予測において符号化対象画像を挟んで反対方向に存在する参照画像で構成される補間型（
内挿型）の双方向予測の方が、符号化対象画像を挟まずに同一方向に存在する参照画像で
構成する補間（外挿型）の双方向予測よりも、動きや物体の時間変化の影響を平均化でき
るために予測精度が良い点、符号化対象画像から近い参照画像の方が動きや物体の時間変
化の影響が少なく動き補償予測の精度が良い点、同じ参照画像を重ね合わせて生成する予
測画像よりも、２つの異なる参照画像より生成される双方向予測画像の方が動きを正しく
捉えた場合の予測画像の予測精度が高い点の３つの知見に基づく確定アルゴリズムである
。この手法により、双方向予測に適した参照画像を第２参照画像として設定できる利点が
ある。
【０１５５】
しかしながら、上述した参照画像インデックスの確定処理に関しては、第２参照画像の
参照画像インデックスが確定できればよく、異なる確定アルゴリズムを用いることも可能
である。符号化処理と復号処理で同一の手法で参照画像を確定することで、符号化時に意
図した参照画像を確定できる。他の確定方法として、他ブロックの動き情報における動き
ベクトルが正確な動きを示していない場合に、同じ参照画像を重ね合わせて生成する予測
画像を用いることで、参照画像に微小な変化を加えた動き補償予測信号を新たな候補とし
て加えることが出来る効果を重視して、図２８のフローチャートにおける、基準参照画像
と第２参照画像候補が同一画像であるかを調べる処理であるステップＳ２８０４を無くし
て、同一画像であっても第２参照画像候補として確定する方法を用いることができる。
【０１５６】
更に他の確定方法として、第２参照画像として確定する予測方向の参照画像の中で、単
純に符号化対象画像に最も近い距離にある参照画像を選択する方法や、常に参照画像イン
デックスが０で示される参照画像を取得する方法や、空間隣接ブロックが使用しているＬ
０参照画像及びＬ１参照画像で、最も多く使用されている参照画像を予測対象ブロックに
おける参照画像として選択する方法などの、時間ＢｉＰｒｅｄにおける参照画像確定処理
に用いた確定手段を用いることも可能である。また、図２８に示したアルゴリズムを用い
て、時間ＢｉＰｒｅｄにおける参照画像確定処理に応用することも可能である。
【０１５７】
図２９は、図１４のステップＳ１４０３の詳細動作を説明するためのフローチャートで
ある。図１４のステップＳ１４０３では、片方向予測モード評価値生成処理が行われる。
【０１５８】
最初に、片方向予測に対する参照画像指定情報（インデックス）と動きベクトル値を取
得する（Ｓ２９００）。続いて、予測ベクトル候補リストを生成し（Ｓ２９０１）、予測
ベクトルの中から最適予測ベクトルを選択し、差分ベクトルを生成する（Ｓ２９０２）。
最適予測ベクトルの選択手法は、予測ベクトルと伝送する動きベクトルの差分ベクトルを
実際に符号化する際の符号量が最も少ないものを選択することが望ましいが、単純に差分
ベクトルの水平・垂直成分の絶対値の総和が小さいものを選択するなどの手法で、簡易的
に算出してもよい。ステップＳ２９０１の詳細動作については、後述する。
【０１５９】
続いて、動き情報符号量を算出する（Ｓ２９０３）。片方向予測モードの場合に、符号
化する動き情報としては、１つの参照画像に対する、参照画像指定情報、差分ベクトル値
、及び予測ベクトルインデックスの３要素となり、各々符号化された符号量の総量が動き
情報符号量として算出される。実施の形態１における予測ベクトルインデックスの符号列
生成手法としては、結合動き情報インデックスの符号列と同様にＴｒｕｎｃａｔｅｄ  Ｕ
ｎａｒｙ符号列を用いるものとする。
【０１６０】
続いて、１つの参照画像に対する参照画像指定情報と動きベクトルを図１における動き
補償予測部１０８に設定して、片方向動き補償予測ブロックを生成する（Ｓ２９０４）。
さらに、動き補償予測ブロックと予測対象ブロックの予測誤差と動き情報符号量より、予
測誤差評価値を算出し（Ｓ２９０５）、予測誤差評価値と、１つの参照画像に対する動き
情報である、参照画像指定情報と差分ベクトル値と予測ベクトルインデックスを動き補償
予測ブロックと共に出力し（Ｓ２９０６）、片方向予測モード評価値生成処理を終了する
。
【０１６１】
図３０は、図２９のステップＳ２９０１の詳細動作を説明するためのフローチャートで
ある。図２９のステップＳ２９０１では、予測ベクトル候補リスト生成が行われる。この
動作は、図１０の予測ベクトル算出部１００３における構成の詳細動作を示している。
【０１６２】
図１１の予測ベクトル候補リスト生成部１１００は、動き情報メモリ１１１より供給さ
れる空間候補ブロック群から領域外である候補ブロックや、イントラモードである候補ブ
ロックを除いた候補ブロック群から空間動き情報利用予測ベクトル候補リストを生成する
（Ｓ３０００）。空間動き情報利用予測ベクトル候補リスト生成の詳細な動作は後述する
。
【０１６３】
予測ベクトル候補リスト生成部１１００は、続いて動き情報メモリ１１１より供給され
る時間候補ブロック群から領域外である候補ブロックやイントラモードである候補ブロッ
クを除いた候補ブロック群から時間動き情報利用予測ベクトル候補リストを生成する（Ｓ
３００１）。時間動き情報利用予測ベクトル候補リスト生成の詳細な動作は後述する。
【０１６４】
続いて、予測ベクトル候補リスト削除部１１０１は、生成された空間動き情報利用予測
ベクトル候補リストと時間動き情報利用予測ベクトル候補リストを統合した予測ベクトル
候補リストより、重複している動きベクトルを持つ予測ベクトル候補が複数存在する場合
には１つの予測ベクトル候補を残して削除して予測ベクトル候補リストを更新する（Ｓ３
００２）。
【０１６５】
最後に、上記処理において隣接ブロックに有効な動き情報が存在せず、予測ベクトル候
補が存在しない場合（Ｓ３００３：ＹＥＳ）、固定ベクトル値（０，０）を予測ベクトル
候補リストに追加して（Ｓ３００４）、処理を終了する。
【０１６６】
図３１は、空間動き情報利用予測ベクトル候補リスト生成の詳細動作を説明するための
フローチャートである。動き情報メモリ１１１より、予測ベクトル算出部１００３に供給
される動き情報の候補ブロック群には、空間候補ブロック群と時間候補ブロック群が含ま
れる。空間候補ブロック群と時間候補ブロック群の概念は、図１６や図１８に示した、結
合動き情報に対する動き情報の候補ブロックと同様である。
【０１６７】
実施の形態１においては、空間候補ブロック群としては図１６におけるブロックＡ１、
ブロックＢ１、ブロックＣ、ブロックＤの４ブロックとする。実施の形態１において、候
補ブロックの数や位置に関しては限定されず、また結合動き情報において用いる候補ブロ
ックの数や位置と、予測ベクトルにおいて用いる候補ブロックの数や位置は、一致しても
一致しなくてもかまわない。
【０１６８】
最初に、空間候補ブロック群に含まれる４つの候補ブロックであるブロックＡ１、ブロ
ックＢ１、ブロックＣ、ブロックＤについて以下の処理を繰り返し行う（Ｓ３１００から
Ｓ３１０３）。
【０１６９】
最初に候補ブロックにおいて指定した参照画像における動きベクトル値の有効性を検査
する（Ｓ３１０１）。候補ブロックが領域外でなくイントラモードでない場合だけでなく
、片方向予測で指定した参照画像が使用されない場合や、参照インデックスが異なる場合
に、動きベクトル値は無効となる。ただし、実施の形態１においては、片方向予測で指定
した参照画像が使用されない場合や、参照インデックスが異なる場合に、他の参照画像の
動きベクトル値をスケーリングして動きベクトルを求めるなどの追加の処理を行い、有効
な動きベクトルとして扱うことも可能であり、上記動きベクトル値の有効／無効判断手法
は、実施の形態１の手法に限定されない。
【０１７０】
続いて、動きベクトル値が有効であれば（Ｓ３１０１：ＹＥＳ）、候補ブロックの動き
ベクトル値を予測ベクトル候補リストに追加する（Ｓ３１０２）。動きベクトル値が無効
であれば（Ｓ３１０１：ＮＯ）、ステップＳ３１０２をスキップし、次の候補ブロックの
動きベクトル値の有効／無効判断を行う。
【０１７１】
図３２は、時間動き情報利用予測ベクトル候補リスト生成の詳細動作を説明するための
フローチャートである。実施の形態１においては、図１８における時間的に隣接するブロ
ック群の内、時間候補ブロック群をブロックＨとブロックＩ６の２ブロックとする。時間
動き情報利用予測ベクトル候補リスト生成においても、候補ブロックの数や位置に関して
は限定されず、また結合動き情報において用いる候補ブロックの数や位置と別に設定する
ことが可能である。
【０１７２】
時間候補ブロック群に含まれる２つの候補ブロックであるブロックＨとブロックＩ６に
ついて（ステップ３２００、ステップＳ３２０４）、候補ブロックの有効性を検査する（
Ｓ３２０１）。候補ブロックが有効である場合（Ｓ３２０１：ＹＥＳ）、ステップＳ３２
０２〜ステップＳ３２０３の処理が行われ、生成された動きベクトル値が予測ベクトル候
補リストに登録され、処理が終了する。候補ブロックが画面領域外の位置を示す場合や、
候補ブロックがイントラ予測ブロックである場合には、候補ブロックが有効でなく（Ｓ３
２０１：ＮＯ）、次の候補ブロックの有効／無効判定が行われる。
【０１７３】
候補ブロックが有効である場合（Ｓ３２０１：ＹＥＳ）、候補ブロックの動き情報をも
とに予測ベクトル候補に登録する動きベクトル値を確定する（Ｓ３２０２）。確定した動
きベクトル値を予測ベクトル候補リストに追加して（Ｓ３２０３）、時間動き情報利用予
測ベクトル候補リスト生成が終了する。
【０１７４】
図３３は、図１４のステップＳ１４０４の詳細動作を説明するためのフローチャートで
ある。図１４のステップＳ１４０４では、双方向予測モード評価値生成処理が行われる。
【０１７５】
最初に、Ｌ０予測に対する参照画像指定情報（インデックス）と動きベクトル値を取得
する（Ｓ３３００）。続いて、Ｌ０予測ベクトル候補リストを生成し（Ｓ３３０１）、予
測ベクトルの中からＬ０予測における最適予測ベクトルを選択し、差分ベクトルを生成す
る（Ｓ３３０２）。これらの処理は、図２９のフローチャート内の片方向予測モード評価
値生成処理における、ステップ２９００〜ステップＳ２９０２までの処理と同じ処理であ
る。
【０１７６】
続いて、Ｌ１予測に対する参照画像指定情報（インデックス）と動きベクトル値を取得
する（Ｓ３３０３）。続いて、Ｌ１予測ベクトル候補リストを生成し（Ｓ３３０４）、予
測ベクトルの中からＬ１予測における最適予測ベクトルを選択し、差分ベクトルを生成す
る（Ｓ３３０５）。これらの処理も同様に、図２９のフローチャート内の片方向予測モー
ド評価値生成処理における、ステップ２９００〜ステップＳ２９０２までの処理と同じ処
理である。
【０１７７】
続いて、動き情報符号量を算出する（Ｓ３３０６）。双方向予測モードの場合には、符
号化する動き情報としては、Ｌ０とＬ１の２つの参照画像に対する、参照画像指定情報、
差分ベクトル値、及び予測ベクトルインデックスの計６要素となり、各々符号化された符
号量の総量が動き情報符号量として算出される。そのため、結合予測モードや結合動き修
正予測モードと比較して、符号化される動き情報の符号量は大きくなる。
【０１７８】
続いて、２つの参照画像に対する参照画像指定情報と動きベクトルを図１における動き
補償予測部１０８に設定して、双方向動き補償予測ブロックを生成する（Ｓ３３０７）。
さらに、動き補償予測ブロックと予測対象ブロックの予測誤差と動き情報符号量より、予
測誤差評価値を算出し（Ｓ３３０８）、予測誤差評価値と、Ｌ０、Ｌ１の２つの参照画像
に対する動き情報である、２つの参照画像指定情報と２つの差分ベクトル値と２つの予測
ベクトルインデックスを動き補償予測ブロックと共に出力し（Ｓ３３０９）、双方向予測
モード評価値生成処理を終了する。
【０１７９】
以上の処理が、実施の形態１における動画像符号化装置における予測モード判定部１０
９の詳細動作となる。
【０１８０】
［実施の形態１における動画像符号化装置における動き情報符号化部の詳細動作説明］
図３４は、図５のステップＳ５０４の詳細動作を説明するためのフローチャートである
。図５のステップＳ５０４の処理は、実施の形態１の動画像符号化装置の動き情報符号化
部１１０における、各動き補償予測モードに対する動き情報を符号化する処理を示す。
【０１８１】
動き情報符号化部１１０には、予測モード判定部１０９において決定された動き補償予
測モードにおける、予測モードを示す情報と、各予測モードの動き情報を表現するために
必要な情報が供給され、動き情報符号化部１１０は動き情報符号化データ生成処理を開始
する。
【０１８２】
最初に、予測モードが結合予測モードである場合（Ｓ３４００：ＹＥＳ）、ステップＳ
３４０１に進み、対象となる予測ブロックで予測誤差信号を符号化しない（Ｓｋｉｐモー
ド）状態である場合（Ｓ３４０１：ＹＥＳ）、Ｓｋｉｐフラグを符号化し（Ｓ３４０２）
、そうでない場合（Ｓ３４０１：ＮＯ）、マージフラグを１として符号化する（Ｓ３４０
３）。
【０１８３】
Ｓｋｉｐフラグ或いはマージフラグを符号化した後、結合動き情報候補リストが１より
大きい場合（Ｓ３４０４：ＹＥＳ）、結合動き情報インデックスを符号化し（Ｓ３４０５
）、処理を終了する。結合動き情報候補リストが１の場合（Ｓ３４０４：ＮＯ）、結合動
き情報が特定できるため、結合動き情報インデックスは伝送されない。
【０１８４】
次に、予測モードが結合予測モードでない場合（Ｓ３４００：ＮＯ）、マージフラグを
０として符号化し（Ｓ３４０６）、動き予測フラグを符号化する（Ｓ３４０７）。動き予
測フラグは、予測方向が片方向予測であるか双方向予測であるかを指示する情報として符
号化される。
【０１８５】
図３５は、実施の形態１における動き予測フラグの一例を示す図である。動き予測フラ
グ（ｉｎｔｅｒ＿ｐｒｅｄ＿ｆｌａｇ）として、片方向を示す値（Ｐｒｅｄ＿ＬＣ）が０
、双方向を示す値（Ｐｒｅｄ＿ＢＩ）が１で符号化される。結合動き修正予測モードに関
しては、動き補償予測の構造は双方向予測となり、Ｐｒｅｄ＿ＢＩとして動き予測フラグ
が送られる。
【０１８６】
続いて、動き予測フラグで示された予測方向が片方向予測である場合（Ｓ３４０８：Ｙ
ＥＳ）、片方向予測モードの動き情報伝送が行われる。最初に、参照画像指定情報（イン
デックス）を符号化し（Ｓ３４０９）、続いて、差分ベクトルを符号化する（Ｓ３４１０
）。予測ベクトル候補リストが１より大きい場合（Ｓ３４１１：ＹＥＳ）、予測ベクトル
インデックスを符号化し（Ｓ３４１２）、処理を終了する。予測ベクトル候補リストが１
の場合（Ｓ３４１１：ＮＯ）、予測ベクトルが特定できるため、インデックスは伝送され
ない。
【０１８７】
一方、動き予測フラグで示された予測方向が片方向予測でない場合（Ｓ３４０８：ＮＯ
）において、予測モードが結合動き修正予測モードである場合（Ｓ３４１３：ＹＥＳ）、
結合動き修正予測モードの動き情報伝送が行われる。
【０１８８】
最初に、結合動き修正予測モードを特定するためのマージＭｖｄフラグを１で符号化す
る（Ｓ３４１４）。続いて、結合動き情報候補リストが１より大きい場合（Ｓ３４１５：
ＹＥＳ）、結合動き情報インデックスを符号化する（Ｓ３４１６）。結合動き情報候補リ
ストが１の場合（Ｓ３４１５：ＮＯ）、結合動き情報インデックスは伝送されない。最後
に、結合動き修正予測モードで特定された動き修正参照画像の動きベクトル値に対して、
結合動き情報の動き修正参照画像の修正前動きベクトルとの差分ベクトル値を符号化し（
Ｓ３４１７）、処理を終了する。
【０１８９】
予測モードが結合動き修正予測モードでない場合（Ｓ３４１３：ＮＯ）、予測モードは
双方向予測モードとなり、双方向予測モードの動き情報伝送が行われる。最初に、結合動
き修正予測モードでないことを示すためにマージＭｖｄフラグを０で符号化する（Ｓ３４
１８）。続いて、Ｌ０予測の動き情報であるＬ０参照画像指定情報を符号化し（Ｓ３４１
９）、Ｌ０差分ベクトル値を符号化する（Ｓ３４２０）。Ｌ０予測の予測ベクトル候補リ
ストが１より大きい場合（Ｓ３４２１：ＹＥＳ）、Ｌ０予測ベクトルインデックスを符号
化する（Ｓ３４２２）。Ｌ０予測の予測ベクトル候補リストが１の場合（Ｓ３４２１：Ｎ
Ｏ）、Ｌ０予測ベクトルインデックスは伝送されない。
【０１９０】
続いて、Ｌ１予測の動き情報であるＬ１参照画像指定情報を符号化し（Ｓ３４２３）、
Ｌ１差分ベクトル値を符号化する（Ｓ３４２４）。Ｌ１予測の予測ベクトル候補リストが
１より大きい場合（Ｓ３４２５：ＹＥＳ）、Ｌ１予測ベクトルインデックスを符号化する
（Ｓ３４２６）。Ｌ１予測の予測ベクトル候補リストが１の場合（Ｓ３４２５：ＮＯ）、
Ｌ１予測ベクトルインデックスは伝送されない。以上の処理により、動き情報符号化デー
タの生成が終了する。
【０１９１】
図３６は、図３４のフローチャートで示した、動き情報符号化データ生成処理によって
生成される符号化ストリームのシンタックスの一例を示す。図３６の符号化シンタックス
においては、Ｓｋｉｐフラグの伝送は予測ブロック単位での動き情報の符号化より上の階
層での符号化ブロック単位で選択される。従って、上位の符号化ブロックの単位で、図３
４の予測誤差信号を符号化しない（Ｓｋｉｐモード）状態であるか否かの判定（Ｓ３４０
１）が行われる。
【０１９２】
［実施の形態１における動画像復号装置における動き情報復号部の詳細動作説明］
図３７は、図６に示した実施の形態１の動画像復号装置における動き情報復号部６０６
の詳細な構成を示す図である。動き情報復号部６０６は、動き情報ビットストリーム復号
部３７００、予測ベクトル算出部３７０１、ベクトル加算部３７０２、片方向動き補償予
測復号部３７０３、双方向動き補償予測復号部３７０４、結合動き情報算出部３７０５、
結合動き補償予測復号部３７０６、及び結合動き修正動き補償予測復号部３７０７を含む
。
【０１９３】
図６における動き情報復号部６０６に対して、多重分離部６０１より入力された動き情
報ビットストリームが、動き情報ビットストリーム復号部３７００に供給され、動き情報
メモリ６０７より入力された動き情報が、予測ベクトル算出部３７０１、及び結合動き情
報算出部３７０５に供給される。
【０１９４】
また、動き補償予測部６０８に対して、片方向動き補償予測復号部３７０３、双方向動
き補償予測復号部３７０４、結合動き補償予測復号部３７０６、及び結合動き修正動き補
償予測復号部３７０７から、動き補償予測に用いる参照画像指定情報と動きベクトルが出
力され、予測方向を示す情報を含めた復号された動き情報が、動き情報メモリ６０７に格
納される。
【０１９５】
動き情報ビットストリーム復号部３７００は、多重分離部６０１より入力された動き情
報ビットストリームを符号化シンタックスに従って復号していくことで、伝送された予測
モードと、予測モードに応じた動き情報を生成する。生成した動き情報の中で、結合動き
情報インデックスは、予測モードに応じて結合動き補償予測復号部３７０６、もしくは結
合動き修正動き補償予測復号部３７０７に供給され、参照画像指定情報が予測ベクトル算
出部３７０１に供給され、予測ベクトルインデックスがベクトル加算部３７０２に供給さ
れ、差分ベクトル値が予測モードに応じてベクトル加算部３７０２、もしくは結合動き修
正動き補償予測復号部３７０７に供給される。
【０１９６】
予測ベクトル算出部３７０１は、動き情報メモリ６０７より供給された隣接ブロックの
動き情報と、動き情報ビットストリーム復号部３７００より供給された参照画像指定情報
から、動き補償予測の対象となる参照画像に対する予測ベクトル候補リストを生成し、参
照画像指定情報と共にベクトル加算部３７０２に供給する。予測ベクトル算出部３７０１
の動作に関しては、図１０の動画像符号化装置における予測ベクトル算出部１００３と同
一の動作が行われ、符号化時の予測ベクトル候補リストと同一の候補リストが生成される
。
【０１９７】
ベクトル加算部３７０２は、予測ベクトル算出部３７０１より供給された予測ベクトル
候補リスト及び参照画像指定情報と、動き情報ビットストリーム復号部３７００から供給
された予測ベクトルインデックス及び差分ベクトルより、予測ベクトルインデックスで示
された位置に登録された予測ベクトル値と差分ベクトル値を加算することで、動き補償予
測対象となる参照画像に対しての動きベクトル値が再生される。再生された動きベクトル
値は、参照画像指定情報と共に、予測モードに応じて片方向動き補償予測復号部３７０３
、もしくは双方向動き補償予測復号部３７０４に供給される。
【０１９８】
片方向動き補償予測復号部３７０３は、ベクトル加算部３７０２より１つの参照画像に
対する、再生された動きベクトル値と参照画像指定情報が供給され、動きベクトル値と参
照画像指定情報を動き補償予測部６０８に設定することで、動き補償予測信号を生成する
。
【０１９９】
双方向動き補償予測復号部３７０４は、ベクトル加算部３７０２より双方向の２つの参
照画像に対する、再生された動きベクトル値と参照画像指定情報が供給され、動きベクト
ル値と参照画像指定情報を動き補償予測部６０８に設定することで、動き補償予測信号を
生成する。
【０２００】
結合動き情報算出部３７０５は、動き情報メモリ６０７から供給される隣接ブロックの
動き情報より、結合動き情報候補リストを生成し、結合動き情報候補リストとリスト内の
構成要素である結合動き情報候補の参照画像指定情報と動きベクトル値を、予測モードに
応じて結合動き補償予測復号部３７０６、もしくは結合動き修正動き補償予測復号部３７
０７に供給する。
【０２０１】
結合動き情報算出部３７０５の動作に関しては、図１０の動画像符号化装置における結
合動き情報算出部１００７と同一の動作が行われ、符号化時の結合動き情報候補リストと
同一の候補リストが生成される。
【０２０２】
結合動き補償予測復号部３７０６は、結合動き情報算出部３７０５より供給される結合
動き情報候補リストとリスト内の構成要素である結合動き情報候補の参照画像指定情報と
動きベクトル値と、動き情報ビットストリーム復号部３７００より供給される結合動き情
報インデックスより、結合動き情報インデックスで示された結合動き情報候補リストにお
ける参照画像指定情報と動きベクトル値を再生し、動き補償予測部６０８に設定すること
で、動き補償予測信号を生成する。
【０２０３】
結合動き修正動き補償予測復号部３７０７は、結合動き情報算出部３７０５より供給さ
れる結合動き情報候補リストとリスト内の構成要素である結合動き情報候補の参照画像指
定情報と動きベクトル値と、動き情報ビットストリーム復号部３７００より供給される結
合動き情報インデックスより、結合動き修正予測モードに対する動き情報を算出し、動き
修正参照画像を確定する。そして、動き修正参照画像の動きベクトル値に対して差分ベク
トル値を加算することで、双方向予測の参照画像指定情報と動きベクトル値を再生し、動
き補償予測部６０８に設定することで、動き補償予測信号を生成する。
【０２０４】
図３８は、図７のステップＳ７０１の詳細動作を説明するためのフローチャートである
。動き情報ビットストリーム復号部３７００、予測ベクトル算出部３７０１、結合動き情
報算出部３７０５、及び結合動き修正動き補償予測復号部３７０７により、図７のステッ
プＳ７０１における動き情報復号処理が行われる。
【０２０５】
動き情報復号処理は、図３６のシンタックス構造で符号化された符号化ビットストリー
ムより動き情報を復号する処理である。最初に符号化ブロックの所定単位でＳｋｉｐフラ
グを復号する（Ｓ３８００）。以降は予測ブロック単位の処理となる。Ｓｋｉｐフラグが
Ｓｋｉｐモードを示している場合（Ｓ３８０１：ＹＥＳ）、結合予測動き情報復号を行う
（Ｓ３８０２）。ステップＳ３８０２の詳細処理については、後述する。
【０２０６】
Ｓｋｉｐモードでない場合（Ｓ３８０１：ＮＯ）、マージフラグを復号する（Ｓ３８０
３）。マージフラグが１を示している場合（Ｓ３８０４：ＹＥＳ）、ステップＳ３８０２
の結合予測動き情報復号に進む。
【０２０７】
マージフラグが１でない場合（Ｓ３８０４：ＮＯ）、動き予測フラグを復号する（Ｓ３
８０５）。動き予測フラグが片方向予測モードである場合（Ｓ３８０６：ＹＥＳ）、即ち
図３５におけるｉｎｔｅｒ＿ｐｒｅｄ＿ｆｌａｇがＰｒｅｄ＿ＬＣを示す場合、片方向予
測動き情報復号を行う（Ｓ３８０７）。ステップＳ３８０７の詳細動作については、後述
する。
【０２０８】
動き予測フラグが片方向予測モードを示していない場合（Ｓ３８０６：ＮＯ）、マージ
Ｍｖｄフラグを復号する（Ｓ３８０８）。マージＭｖｄフラグが１である場合（Ｓ３８０
９：ＹＥＳ）、結合動き修正予測動き情報復号が行われ（Ｓ３８１０）、マージＭｖｄフ
ラグが１でない場合（Ｓ３８０９：ＮＯ）、双方向予測動き情報復号が行われる（Ｓ３８
１１）。ステップＳ３８１０、及びステップＳ３８１１の詳細動作については、後述する
。
【０２０９】
図３９は、図３８のステップＳ３８０２の詳細動作を説明するためのフローチャートで
ある。図３８のステップＳ３８０２では、結合予測動き情報復号処理が行われる。
【０２１０】
最初に予測モードに結合予測モードを設定し（Ｓ３９００）、結合動き情報候補リスト
を生成する（Ｓ３９０１）。ステップＳ３９０１の処理は、図１４のフローチャート内の
、動画像符号化装置における結合動き情報候補リスト生成であるステップＳ１４０１と同
一の処理である。
【０２１１】
結合動き情報候補リストが１よりも大きい場合（Ｓ３９０２：ＹＥＳ）、即ち複数の結
合動き情報候補がある場合には、結合動き情報インデックスを復号し（Ｓ３９０３）、結
合動き情報候補リストが１つの場合（Ｓ３９０２：ＮＯ）、結合動き情報インデックスに
０を設定する（Ｓ３９０４）。
【０２１２】
続いて、結合動き情報候補リストより、結合動き情報インデックスで示す位置に格納さ
れている動き情報を取得する（Ｓ３９０５）。取得する動き情報としては、片方向／双方
向を示す予測方向、参照画像指定情報、動きベクトル値となる。生成された動き情報は、
結合予測モードの動き情報として格納され（Ｓ３９０６）、結合動き補償予測復号部３７
０６に供給される。
【０２１３】
図４０は、図３８のステップＳ３８０７の詳細動作を説明するためのフローチャートで
ある。図３８のステップＳ３８０７では、片方向予測動き情報復号処理が行われる。
【０２１４】
最初に参照画像指定情報を復号し（Ｓ４０００）、差分ベクトル値を復号する（Ｓ４０
０１）。次に、予測ベクトル候補リストを生成し（Ｓ４００２）、予測ベクトル候補リス
トが１より大きい場合（Ｓ４００３：ＹＥＳ）、予測ベクトルインデックスを復号し（Ｓ
４００４）、予測ベクトル候補リストが１の場合（Ｓ４００３：ＮＯ）、予測ベクトルイ
ンデックスに０を設定する（Ｓ４００５）。
【０２１５】
ここで、ステップＳ４００２では、動画像符号化装置における図２９のフローチャート
のステップＳ２９０１と同様の処理が行われる。次に、予測ベクトル候補リストより、予
測ベクトルインデックスで示す位置に格納されている動きベクトル値を取得する（Ｓ４０
００６）。復号した差分ベクトル値と動きベクトル値を加算することで動きベクトルを再
生する（Ｓ４００７）。生成された動き情報として、１つの参照画像に対する参照画像指
定情報と動きベクトル値が、片方向予測モードの動き情報として格納され（Ｓ４００８）
、片方向動き補償予測復号部３７０３に供給される。
【０２１６】
図４１は、図３８のステップＳ３８１１の詳細動作を説明するためのフローチャートで
ある。図３８のステップＳ３８１１では、双方向予測動き情報復号処理が行われる。
【０２１７】
最初にＬ０予測の参照画像指定情報を復号し（Ｓ４１００）、差分ベクトル値を復号す
る（Ｓ４１０１）。次に、Ｌ０予測の予測ベクトル候補リストを生成し（Ｓ４１０２）、
予測ベクトル候補リストが１より大きい場合（Ｓ４１０３：ＹＥＳ）、Ｌ０予測の予測ベ
クトルインデックスを復号する（Ｓ４１０４）。予測ベクトル候補リストが１の場合（Ｓ
４１０３：ＮＯ）、Ｌ０予測の予測ベクトルインデックスに０を設定する（Ｓ４１０５）
。ステップＳ４１０２では、動画像符号化装置における図３３のフローチャートのステッ
プＳ３３０１と同様の処理が行われる。
【０２１８】
次に、予測ベクトル候補リストより、Ｌ０予測の予測ベクトルインデックスで示す位置
に格納されている動きベクトル値を取得する（Ｓ４１０６）。復号した差分ベクトル値と
動きベクトル値を加算することで動きベクトルを再生する（Ｓ４１０７）。
【０２１９】
続いて、同様の動き情報復号処理がＬ１予測の参照画像に対して行われる。Ｌ１予測の
参照画像指定情報を復号し（Ｓ４１０８）、差分ベクトル値を復号し（Ｓ４１０９）。Ｌ
１予測の予測ベクトル候補リストを生成し（Ｓ４１１０）、予測ベクトル候補リストが１
より大きい場合（Ｓ４１１１：ＹＥＳ）、Ｌ１予測の予測ベクトルインデックスを復号す
る（Ｓ４１１２）。予測ベクトル候補リストが１の場合（Ｓ４１１１：ＮＯ）、Ｌ１予測
の予測ベクトルインデックスに０を設定する（Ｓ４１１３）。ステップＳ４１１３では、
動画像符号化装置における図３３のフローチャートのステップＳ３３０４と同様の処理が
行われる。
【０２２０】
次に、予測ベクトル候補リストより、Ｌ１予測の予測ベクトルインデックスで示す位置
に格納されている動きベクトル値を取得する（Ｓ４１１４）。復号した差分ベクトル値と
動きベクトル値を加算することで動きベクトルを再生する（Ｓ４１１５）。生成された動
き情報として、２つの参照画像に対する参照画像指定情報と動きベクトル値が、双方向予
測モードの動き情報として格納され（Ｓ４１１６）、双方向動き補償予測復号部３７０４
に供給される。
【０２２１】
図４２は、図３８のステップＳ３８１０の詳細動作を説明するためのフローチャートで
ある。図３８のステップＳ３８１０では、結合動き修正予測動き情報復号処理が行われる
。
【０２２２】
最初に予測モードに結合動き修正予測モードを設定し（Ｓ４２００）、結合動き情報候
補リストを生成する（Ｓ４２０１）。ステップＳ４２０１では、動画像符号化装置におけ
る図１４のフローチャートのステップＳ１４０１と同一の処理が行われる。
【０２２３】
結合動き情報候補リストが１よりも大きい場合（Ｓ４２０２：ＹＥＳ）、即ち複数の結
合動き情報候補がある場合には、結合動き情報インデックスを復号し（Ｓ４２０３）、結
合動き情報候補リストが１つの場合（Ｓ４２０２：ＮＯ）、結合動き情報インデックスに
０を設定する（Ｓ４２０４）。
【０２２４】
続いて、結合動き情報候補リストより、結合動き情報インデックスで示す位置に格納さ
れている動き情報を取得する（Ｓ４２０５）。取得する動き情報としては、片方向／双方
向を示す予測方向、参照画像指定情報、動きベクトル値となる。
【０２２５】
次に、取得された結合動き情報インデックスと動き情報をもとに、結合動き修正動き補
償予測復号部３７０７において、双方向動きベクトル値と差分ベクトルを伝送する参照画
像確定処理を行う（Ｓ４２０６）。ステップＳ４２０６では、動画像符号化装置における
図２２のフローチャートのステップＳ２２０３と同一の処理が行われる。更に詳細な処理
内容に関しては、図２６、図２７、図２８に示されるフローチャートの処理が施され、動
画像符号化装置と同じ双方向動きベクトル値と差分ベクトルを伝送する参照画像の確定が
行われる。
【０２２６】
次に、確定した差分ベクトルを伝送する参照画像である動き修正参照画像に対して、動
き情報として格納された修正前の動きベクトル値に対する、差分ベクトルを復号し（Ｓ４
２０７）、修正前の動きベクトル値に差分ベクトルを加算することで、動き修正参照画像
の動きベクトル値を算出する（Ｓ４２０８）。
【０２２７】
結合動き情報インデックスで示す位置に格納されている動き情報に対して、予測方向は
双方向に設定されると共に、動き情報が片方向予測であった場合の第２参照画像を指定す
る参照画像指定情報と動き修正参照画像における更新された動きベクトル値が、動き情報
として格納され（Ｓ４２０９）、結合動き修正動き補償予測復号部３７０７より、図６に
おける動き補償予測部６０８及び動き情報メモリ６０７に出力される。
【０２２８】
実施の形態１における、動画像符号化装置及び動画像復号装置においては、従来の動画
像符号化手法であるＡＶＣにおける動き補償予測に対して、より多くの隣接ブロックの動
き情報を選択候補として用いることで、周囲の動き情報をより有効に利用できる候補とし
て登録し、周囲の動き情報に対して動きベクトル値の修正情報を差分ベクトルとして符号
化する構成を取る新規の予測モードである結合動き修正予測モードを用いた。これにより
、動き情報の相関性が高いが動きの連続性が十分保たれていない場合や、他ブロックの動
き情報における動きベクトルが予測残差を符号化した際の歪などの要因で正確な動きに対
してずれを生じている場合などに、隣接ブロックから生成される動き情報に対して、少な
い情報で適切な動きベクトルの修正が出来、少ない付加情報で予測残差が少ない動き補償
予測信号を生成する、符号化装置及び復号装置を実現できる。
【０２２９】
また、実施の形態１における、動画像符号化装置及び動画像復号装置においては、動き
ベクトルを修正する参照画像の設定を、周囲の動き情報に格納された予測モードや周囲の
動き情報から結合する動き情報を取得する際の取得方法を基準に、結合する動き情報にお
ける動きベクトルの信頼度を評価し、修正する必要のある参照画像を特定する。これによ
り、符号化時に伝送する指定情報を追加せずに、適切な動きベクトルの修正を可能とする
効果を有する。
【０２３０】
また、実施の形態１における、動画像符号化装置及び動画像復号装置においては、結合
予測モードと共用して結合動き修正予測モードの基準参照画像及び基準動きベクトルが決
定・算出される。これにより、結合動き修正予測モード用の新たな処理を最小限に抑制し
つつ、付加情報を少なく符号化できる結合動き修正予測モードを具備することができる。
【０２３１】
また、実施の形態１における、動画像符号化装置及び動画像復号装置においては、少な
い負荷と符号量で双方向予測を行う結合動き修正予測モードを増やすことができ、以降に
符号化・復号するブロックで参照する隣接ブロックの動き情報を増やすことができるため
、符号化効率を向上させることができる。
【０２３２】
（実施の形態２）
次に、本発明の実施の形態２についての説明を行う。実施の形態２は、実施の形態１に
対して、結合動き修正予測モードを符号化する際の符号化処理が異なる。図４３は、実施
の形態２における動き予測モードの構成を示す図である。実施の形態１における、予測方
向が片方向予測であるか双方向予測であるかを指示する情報として符号化される動き予測
フラグ（ｉｎｔｅｒ＿ｐｒｅｄ＿ｆｌａｇ）を、実施の形態２においては、図４３に示す
ように、動き予測モード（ｉｎｔｅｒ＿ｐｒｅｄ＿ｍｏｄｅ）として、結合動き修正予測
モードを示す値（Ｐｒｅｄ＿ＭｅｒｇｅＭｖｄ）が０、片方向を示す値（Ｐｒｅｄ＿ＬＣ
）が１、双方向を示す値（Ｐｒｅｄ＿ＢＩ）が２で符号化を行う。このため、実施の形態
１におけるマージＭｖｄフラグを伝送する必要は無くなり、３つの予測モードを識別する
２つのフラグが１つのモード情報に統合される。
【０２３３】
実施の形態２のシンタックスを使用すると、予測モードの発生頻度に偏りの大きい場合
に、算術符号化などの発生頻度に応じた情報量で符号化できるエントロピー符号化を用い
ることで、予測モードに対する符号量を削減することが可能となる。
【０２３４】
図４４は、実施の形態２における、動き情報符号化データ生成処理によって生成される
符号化ストリームのシンタックスを示す図である。実施の形態２における、動画像符号化
装置及び動画像復号装置は、図３４で示された動き情報符号化データ生成処理のフローチ
ャート、及び図３８で示された動き情報復号処理のフローチャートに記載された処理の一
部のみが、実施の形態１における、動画像符号化装置及び動画像復号装置と異なる動作を
行う。
【０２３５】
図４５は、実施の形態２の動画像符号化装置における動き情報符号化データ生成処理を
説明するためのフローチャートである。以下、図３４のフローチャートに示す動作と異な
る部分のみを説明する。
【０２３６】
図４５のフローチャートにおいては、図３４で示されたフローチャートにおける動き予
測フラグの符号化処理であるステップＳ３４０７と、マージＭｖｄフラグの符号化処理で
あるステップＳ３４１４及びステップＳ３４１８の処理が無くなり、動き予測モードの符
号化処理であるステップＳ４５００が新たに加わる処理構成を取る。
【０２３７】
予測モードが結合予測モードでない場合（Ｓ３４００：ＮＯ）、マージフラグを０で符
号化し（Ｓ３４０１）、動き予測モードを符号化し（Ｓ４５００）、片方向予測モードで
あるか否か判断する（Ｓ３４０８）。
【０２３８】
また、予測モードが結合動き修正予測モードである場合（Ｓ３４１３：ＹＥＳ）、マー
ジＭｖｄモードを符号化する処理（Ｓ３４１４）を介さず、統合動き情報候補リストの大
きさを判定する処理（Ｓ３４１５）に直接繋がると共に、予測モードが結合動き修正予測
モードでない場合（Ｓ３４１３：ＮＯ）にも、マージＭｖｄモードを符号化する処理（Ｓ
３４１４）を介さず、Ｌ０参照画像指定情報の符号化処理（Ｓ３４２０）に直接繋がる処
理構成となる。
【０２３９】
図４６は、実施の形態２の動画像復号装置における動き情報復号処理を説明するための
フローチャートである。以下、図３８のフローチャートに示す動作と異なる部分のみを説
明する。
【０２４０】
図４６のフローチャートにおいては、図３８で示されたフローチャートにおける動き予
測フラグの復号処理であるステップＳ３８０５と、マージＭｖｄフラグの復号処理である
ステップＳ３８０８、及びマージＭｖｄフラグが１であるか否かを判断する処理であるス
テップＳ３８０９の処理が無くなり、動き予測モードの復号処理であるステップＳ４６０
０と、動き予測モードが結合動き修正予測モードであるか否かを判定する処理であるステ
ップＳ４６０１が新たに加わる処理構成を取る。
【０２４１】
マージフラグが１でない場合（Ｓ３８０４：ＮＯ）、動き予測モードを復号し（Ｓ４６
００）、片方向予測モードであるか否か判断する（Ｓ３８０６）。また、片方向予測モー
ドでない場合（Ｓ３８０６：ＮＯ）、動き予測モードが結合動き修正予測モードであるか
否かを判定し（Ｓ４６０１）、結合動き修正予測モードである場合（Ｓ４６０１：ＹＥＳ
）、結合動き修正予測動き情報復号処理を行い（Ｓ３８１０）、結合動き修正予測モード
でない場合（Ｓ４６０１：ＮＯ）、双方向予測動き情報復号処理を行う（Ｓ３８１１）。
【０２４２】
（実施の形態３）
次に、本発明の実施の形態３についての説明を行う。実施の形態３においては、実施の
形態１に対して、結合動き修正動き補償予測モードで動き情報を符号化する際に適した動
きベクトル値を、動き修正を行う参照画像と基準となる動きベクトル値が確定した後に、
その周囲の動きに対して動きベクトルを検出することで、より予測効率の高い動き補償予
測を実現出来る。
【０２４３】
実施の形態３における、動画像符号化装置及び動画像復号装置と、実施の形態１におけ
る、動画像符号化装置及び動画像復号装置とを比較すると、動画像復号装置は同じであり
、動画像符号化装置の構成の一部が異なる。具体的には、実施の形態１の動画像符号化装
置に対して、図１０の結合動き修正動き補償予測生成部１００９における詳細構成である
図１３のブロック構成、及びその具体的処理を説明するフローチャートである図２２に示
された結合動き修正予測モード評価値生成処理が、異なる構成を取る。
【０２４４】
図４７は、実施の形態３における、図１０の結合動き修正動き補償予測生成部１００９
における詳細構成を示す図である。結合動き修正動き補償予測生成部１００９は、基準参
照画像・動き修正参照画像選択部１３００、動き修正参照画像動きベクトル検出部４７０
０、結合動き情報修正動き補償予測生成部１３０２、及び差分ベクトル算出部１３０３を
含む。
【０２４５】
基準参照画像・動き修正参照画像選択部１３００、結合動き情報修正動き補償予測生成
部１３０２、及び差分ベクトル算出部１３０３に関しては、図１３に示した実施の形態１
と同じ動作が行われ、図１３における動き修正参照画像動きベクトル取得部１３０１の機
能が、動き修正参照画像動きベクトル検出部４７００の機能に置き換わった構成を取る。
【０２４６】
動き修正参照画像動きベクトル検出部４７００には、入力端子１００より符号化対象ブ
ロックの画像信号と、復号画像メモリ１０６に記憶された参照画像信号が入力され、動き
修正参照画像動きベクトル検出部４７００は、基準参照画像・動き修正参照画像選択部１
３００より供給される、基準参照画像指定情報／基準参照画像動きベクトル値、及び動き
修正参照画像指定情報／動き修正参照画像予測ベクトル値を用いて、動き修正参照画像に
対する動きベクトルを検出する。
【０２４７】
実施の形態３においては、上記機能を有するため、図１の予測モード判定部１０９に復
号画像メモリ１０６からの入力が加わると共に、図１０の結合動き修正動き補償予測生成
部１００９に、入力画像信号と復号画像メモリ１０６からの入力が加わる。
【０２４８】
動き修正参照画像に対する動きベクトルの検出においては、２つの参照画像の内、基準
参照画像に対しては確定した動きベクトル値で画像信号と同一位置より動きベクトル値だ
け移動させた参照画像に相当する画像信号を取得する。動き修正参照画像に対しては動き
情報として設定された動き修正参照画像予測ベクトル値を中心とした所定範囲の動きに対
して、画像信号と同一位置より動き量だけ移動させた参照画像に相当する画像信号を取得
し、２つの画像信号の加算平均を取った画像信号（双方向予測に相当する画像信号となる
）を生成する。そして、符号化対象となる予測ブロック画像との誤差評価値を算出し、誤
差評価値が最小となる動き修正参照画像の動き量を動き修正参照画像動きベクトルとする
。
【０２４９】
動き修正参照画像の動きベクトルの探索範囲がそのまま、伝送される差分ベクトルの値
の範囲となるため、結合動き修正予測モードにおいて符号化に適した動きベクトルとして
は、少ない探索範囲で良い。例えば水平・垂直に±２画素程度の範囲で探索を行うことで
、結合動き修正予測モードに有効な動きベクトルを検出可能である。差分ベクトルの符号
量に関しても換算し、誤差評価値に加えることにより、より精度の良い動きベクトル検出
が可能である。
【０２５０】
動き修正参照画像動きベクトル検出部４７００により生成された、動き修正参照画像に
対する動きベクトル値は、結合動き情報修正動き補償予測生成部１３０２及び差分ベクト
ル算出部１３０３に供給される。
【０２５１】
図４８は、実施の形態３における結合動き修正予測モード評価値生成処理を説明するた
めのフローチャートである。図４８のフローチャートは、実施の形態１における結合動き
修正予測モード評価値生成処理のフローチャートである図２２に対して、動き修正参照画
像の動きベクトル値を取得する処理であるステップＳ２２０４が無くなり、代わりに動き
修正参照画像の結合動きベクトル値を基準に動きベクトルを補正する処理であるステップ
Ｓ４８００が加わる構成を取る。
【０２５２】
ステップＳ４８００では、動き修正参照画像の結合動きベクトル値を基準に動きベクト
ルを探索し、検出された修正参照画像動きベクトル値を補正された動きベクトルとして格
納する処理となる。
【０２５３】
実施の形態３においては、結合動き修正予測モードの特性に合わせて、差分ベクトルを
生成する基準となる動き情報から生成された動き修正参照画像の動きベクトル値を中心と
した微小範囲において、２つの参照画像を用いた予測誤差の判定を行い、動き補償予測に
用いる動きベクトル値を確定する。これにより、結合動き修正予測モードにおける最適な
動き補償予測信号を予測モードの候補として用いることが出来、符号化効率を向上させる
ことができる。
【０２５４】
実施の形態３において、動きベクトルを探索する処理であるステップＳ４８００におけ
る、別の方法として、ステップＳ４８００の前に、実施の形態１における図１の動きベク
トル検出部１０７より動き補正参照画像に対する検出した動きベクトル値を入力する処理
であるステップＳ２２０４を行い、ステップＳ４８００の代わりに、入力した動きベクト
ル値を基準に動きベクトルを探索する方法を用いることも可能である。
【０２５５】
上述した別の方法は、隣接ブロックの動き情報と大きく異なる、動き修正参照画像の補
正される動きベクトルを検出することが可能であり、その場合には、結合動き修正予測モ
ードが双方向予測モードに対して、双方向の参照画像指定情報及び予測ベクトル候補のイ
ンデックスを伝送しないことで、少ない動き情報で符号化できる効果を発揮できる。
【０２５６】
上述した別の方法は、ステップＳ４８００の動き修正参照画像の結合動きベクトル値を
基準に動きベクトルを探索する方法と併用して、結果として検出される動きベクトル値の
予測誤差が少ない動きベクトル値を用いることも可能であり、隣接ブロックの動き情報と
微妙に異なる動きと大きく異なる動きの両方に対して、動き修正参照画像の補正される動
きベクトルとして適切な動きベクトル値を検出することが可能となる。
【０２５７】
（実施の形態４）
次に、本発明の実施の形態４についての説明を行う。実施の形態４においては、実施の
形態１に対して、動き修正参照画像判定のアルゴリズムが異なる。実施の形態４において
は、動き修正参照画像を判定する基準が符号化対象画像と参照画像の時間的距離を基準と
する手法をとる。
【０２５８】
図４９（ａ）〜（ｃ）は、実施の形態４における距離優先アルゴリズムを示す概念図で
ある。図４９（ａ）〜（ｃ）に示すように、結合動き情報が空間ＢｉＰｒｅｄである場合
、空間ＵｎｉＰｒｅｄである場合、時間ＢｉＰｒｅｄである場合のすべてにおいて、導出
されたＬ０参照画像、Ｌ１参照画像の内で、符号化対象画像に時間的に遠い参照画像を、
動きベクトルの信頼度が低いと判定し、差分ベクトルを伝送する修正動き参照画像に設定
する。
【０２５９】
動きの連続性が高い動画像シーケンスの場合には、符号化対象画像により近い参照画像
からの動きベクトルの信頼度が高くなるため、遠い参照画像に対して動きベクトル値を補
正することで、より適した動き補償予測信号が生成できる。
【０２６０】
実施の形態４においては、実施の形態１における、動画像符号化装置及び動画像復号装
置のそれぞれに適用される、図２６に示した双方向動きベクトル値、差分ベクトルを伝送
する参照画像確定処理のフローチャートが異なる処理になる。
【０２６１】
図５０は、実施の形態４における、双方向動きベクトル値、差分ベクトルを伝送する参
照画像確定処理を説明するためのフローチャートである。図５０のフローチャートは、実
施の形態１における図２６のフローチャートに対して、スケーリングされた動きベクトル
が片方向（１つ）であるか否かの判定処理であるステップＳ２６０２と、片方向であった
場合（Ｓ２６０２：ＹＥＳ）における、スケーリングされた動きベクトルを持つ参照画像
を修正参照画像に設定する処理であるステップＳ２６０３が無くなった処理構成となる。
【０２６２】
（実施の形態５）
次に、本発明の実施の形態５についての説明を行う。実施の形態５においては、実施の
形態１に対して、結合動き修正動き補償予測モードで動き修正を行う参照画像をスケーリ
ングを用いて生成された動きベクトルに対して全て設定し、２つのスケーリング動きベク
トルを有する場合には、２つの差分ベクトルを符号化する構成を取る。
【０２６３】
実施の形態５においては、スケーリング処理で生成された際の動きベクトルの精度が直
接空間隣接ブロックの動き情報を適用した場合の動きベクトルよりも低いという判断基準
で、スケーリング処理で生成された動きベクトルを持つ参照画像の全てに差分ベクトルを
伝送する。
【０２６４】
図５１（ａ）〜（ｃ）は、実施の形態５における、結合動き情報が空間ＢｉＰｒｅｄで
ある場合、空間ＵｎｉＰｒｅｄである場合、時間ＢｉＰｒｅｄである場合における、差分
ベクトルを伝送する参照画像を特定する処理構成の概念図を示す。実施の形態５において
は、実施の形態１と同様に、図２４に示されるように結合動き情報の種類に応じて、スケ
ーリングされた動きベクトルが動き情報として生成される。
【０２６５】
図５１（ａ）に示すように結合動き情報が空間ＢｉＰｒｅｄである場合には、スケーリ
ングベクトル数が０であるため、実施の形態１と同様に、差分ベクトルを伝送する参照画
像は符号化画像からの時間距離の長い参照画像を選択する。
【０２６６】
図５１（ｂ）に示すように結合動き情報が空間ＵｎｉＰｒｅｄである場合には、スケー
リングベクトル数が１であるため、実施の形態１と同様に、スケーリングされた動きベク
トルを持つ１つの参照画像が、差分ベクトルを伝送する参照画像として指定される。
【０２６７】
図５１（ｃ）に示すように結合動き情報が時間ＢｉＰｒｅｄである場合には、スケーリ
ングベクトル数が２であるため、実施の形態１と異なり、スケーリングされた動きベクト
ルを持つ２つの参照画像が、差分ベクトルを伝送する参照画像として指定される。
【０２６８】
図５２は、実施の形態５における、各予測モードにおける伝送する動き情報の関係を示
す図である。実施の形態５においては、結合動き修正予測モードの場合にて、空間Ｕｎｉ
Ｐｒｅｄ及び空間ＢｉＰｒｅｄの場合には、１つの結合動き情報インデックスと１つの差
分ベクトルを伝送することで、動き情報を符号化する。時間ＢｉＰｒｅｄの場合には、１
つの結合動き情報インデックスと２つの差分ベクトルを伝送することで、動き情報を符号
化する。
【０２６９】
実施の形態５における動画像符号化装置及び動画像復号装置は、実施の形態１における
動画像符号化装置及び動画像復号装置と比較し、図２６に示した双方向動きベクトル値、
差分ベクトルを伝送する参照画像確定処理のフローチャート、図３４に示した動画像符号
化装置による動き情報符号化データ生成処理のフローチャート、及び図４２に示した動画
像復号装置による結合動き修正予測動き情報復号処理のフローチャートの処理が一部異な
る。
【０２７０】
図５３は、実施の形態５における双方向動きベクトル値、差分ベクトルを伝送する参照
画像確定処理を説明するためのフローチャートである。双方向動きベクトル値、差分ベク
トルを伝送する参照画像確定処理は、実施の形態１における図２６のフローチャートに対
して、スケーリングされた動きベクトル数が１であるか否かの判断処理であるステップＳ
２６０２を無くし、スケーリングされた動きベクトル数を管理するパラメータであるＳｃ
ａｌｅｄ＿Ｍｅｒｇｅ＿ｒｅｆ＿ｎｕｍを新たに設けて条件判断を行う。
【０２７１】
双方向の参照画像の動きベクトル値のうちスケーリングされた動きベクトルの数をＳｃ
ａｌｅｄ＿Ｍｅｒｇｅ＿ｒｅｆ＿ｎｕｍに設定する処理を行う（Ｓ５３００）。Ｓｃａｌ
ｅｄ＿Ｍｅｒｇｅ＿ｒｅｆ＿ｎｕｍが１の場合（Ｓ５３０１：ＹＥＳ）、スケーリングさ
れた動きベクトルを持つ参照画像を動き修正参照画像に設定する（Ｓ２６０３）。Ｓｃａ
ｌｅｄ＿Ｍｅｒｇｅ＿ｒｅｆ＿ｎｕｍが２の場合（Ｓ５３０２：ＹＥＳ）、両方の参照画
像を動き修正参照画像に設定する（Ｓ５３０３）。Ｓｃａｌｅｄ＿Ｍｅｒｇｅ＿ｒｅｆ＿
ｎｕｍが０の場合（Ｓ５３０２：ＮＯ）、実施の形態１と同様に距離に応じた参照画像を
設定するためのステップＳ２６０４に進む。
【０２７２】
図５４は、実施の形態５における、符号化シンタックスの一例を示す図である。動き修
正予測動き情報復号処理において生成するＳｃａｌｅｄ＿Ｍｅｒｇｅ＿ｒｅｆ＿ｎｕｍを
もとに、差分ベクトルを２つ（水平・垂直で計４要素）伝送するか、１つ（計２要素）伝
送するかが切り替わる構成になっている。
【０２７３】
図５５は、実施の形態５の動画像符号化装置における動き情報符号化データ生成処理を
説明するためのフローチャートである。動き情報符号化データ生成処理は、実施の形態１
における図３４のフローチャートに対して、結合動き情報候補リストが１より大きい場合
（Ｓ３４１５：ＹＥＳ）、結合動き補償インデックスを符号化する処理（Ｓ３４１６）を
行う。
【０２７４】
Ｓｃａｌｅｄ＿Ｍｅｒｇｅ＿ｒｅｆ＿ｎｕｍが２である場合（Ｓ５５００：ＹＥＳ）、
Ｌ０差分ベクトル値を符号化し（Ｓ５５０１）、更にＬ１差分ベクトル値を符号化する（
Ｓ５５０２）処理が新たに加わる処理構成となる。
【０２７５】
図５６は、実施の形態５の動画像復号装置における結合動き修正予測動き情報復号処理
を説明するためのフローチャートである。結合動き修正予測動き情報復号処理は、実施の
形態１における図４２のフローチャートに対して、図５３で示した双方向動きベクトル値
、差分ベクトルを伝送する参照画像確定処理（Ｓ４２０６）の後に、Ｓｃａｌｅｄ＿Ｍｅ
ｒｇｅ＿ｒｅｆ＿ｎｕｍが２である場合（Ｓ５６００：ＹＥＳ）、Ｌ０差分ベクトル値を
復号し（Ｓ５６０１）、Ｌ０参照画像の動き情報より算出された動きベクトル値に加算す
ることでＬ０参照画像の動きベクトル値を算出する（Ｓ５６０２）。更にＬ１差分ベクト
ル値を復号し（Ｓ５６０３）、Ｌ１参照画像の動き情報より算出された動きベクトル値に
加算することでＬ１参照画像の動きベクトル値を算出する（Ｓ５６０４）処理が、新たに
加わる処理構成となる。
【０２７６】
また、実施の形態５における別の構成として、常に２つの参照画像に対して差分ベクト
ルを伝送する構成を取ることも可能である。図５７（ａ）、（ｂ）は、実施の形態５にお
ける常に２つの参照画像を送る構成における空間ＢｉＰｒｅｄ及び空間ＵｎｉＰｒｅｄの
差分ベクトルの状態の概念図を示す。図５７（ａ）は空間ＢｉＰｒｅｄにおいて２本の差
分ベクトルを伝送する例を示し、図５７（ｂ）は空間ＵｎｉＰｒｅｄにおいて２本の差分
ベクトルを伝送する例を示す。
【０２７７】
図５８は、常に２つの参照画像に対して差分ベクトルを伝送する構成を取る場合に採用
可能な符号化シンタックスの一例を示す図である。結合動き修正予測モードであるｍｅｒ
ｇｅ＿ｍｖｄ＿ｆｌａｇが１の場合には、常に２つの差分ベクトル（計４要素）が符号化
される。
【０２７８】
（実施の形態６）
次に、本発明の実施の形態６についての説明を行う。実施の形態６においては、実施の
形態１に対して、結合予測モードに用いる結合動き情報候補リストと、結合動き修正予測
モードに用いる結合動き情報候補リストを異なるアルゴリズムで生成する構成を取る。
【０２７９】
実施の形態１では、結合動き修正予測モードにおいて、差分ベクトル値が（０、０）で
ある場合であって、空間ＢｉＰＲｅｄ及び時間ＢｉＰｒｅｄの場合に、結合予測モードと
同じ動き補償予測画像が生成される。実施の形態６においては、重複する動き情報を結合
動き情報候補リストの生成時に切り分け、もしくは異なる位置の隣接ブロックからの動き
情報適用を行うことで、結合予測モードと結合動き修正予測モードの、同一動き情報伝送
機能の重複を抑制し尚且つより多くの動き情報を選択可能にする利点を有する。
【０２８０】
実施の形態６における動画像符号化装置及び動画像復号装置と、実施の形態１おける動
画像符号化装置及び動画像復号装置との構成の違いは、図１０に示した動画像符号化装置
における予測モード判定部１０９の構成、及び図３７に示した動画像復号装置における動
き情報復号部６０６の構成となる。
【０２８１】
図５９は、実施の形態６の動画像符号化装置における予測モード判定部１０９の構成を
示す図である。図５９の構成において、実施の形態１において結合動き修正動き補償予測
生成部１００９に入力されていた結合動き情報算出部１００７からのデータの流れが削除
され、結合動き修正動き情報算出部５９００が追加される。
【０２８２】
結合動き修正動き情報算出部５９００は、図１の動き情報メモリ１１１より供給される
隣接ブロックの動き情報における候補ブロック群を用いて、片方向であるか双方向である
かを示す予測方向、参照画像指定情報、動きベクトル値で構成される動き情報として、複
数の動き情報を結合動き修正動き情報候補リストと共に生成し、結合動き修正動き補償予
測生成部１００９に供給する。
【０２８３】
結合動き修正動き情報算出部５９００は、結合動き情報算出部１００７とは異なる動き
情報の候補を取得することで、異なる動き情報と動き情報の候補リストを生成することが
可能である。一例としては、図１６に示される空間方向予測ブロックや、図１８に示され
る時間方向予測ブロックからの取得候補数を変化させる方法、異なる位置であるブロック
Ｅや、ブロックＢ４、ブロックＡ４などを空間候補ブロック群の候補に加える方法、空間
方向の候補ブロックと時間方向の候補ブロックのリストへの追加順を変化させる方法、あ
る特定の動き情報に制限してリストへの追加を行う方法などが挙げられる。
【０２８４】
図６０は、実施の構成６の動画像復号装置における動き情報復号部６０６の構成を示す
図である。図６０の構成において、実施の形態１において結合動き修正動き補償予測復号
部３７０７に入力されていた結合動き情報算出部３７０５からのデータの流れが削除され
、結合動き修正動き情報算出部６０００が追加される。
【０２８５】
結合動き修正動き情報算出部６０００では、図５９における動画像符号化装置の結合動
き修正動き情報算出部５９００と同じ処理が行われ、結合動き修正動き情報算出部６００
０は、図６の動き情報メモリ６０７より供給される隣接ブロックの動き情報における候補
ブロック群を用いて、片方向であるか双方向であるかを示す予測方向、参照画像指定情報
、動きベクトル値で構成される動き情報として、複数の動き情報を結合動き修正動き情報
候補リストと共に生成し、結合動き修正動き補償予測復号部３７０７に供給する。
【０２８６】
図６１は、実施の形態６における符号化シンタックスの一例を示す図である。結合予測
モードにおけるインデックス情報であるｍｅｒｇｅ＿ｉｄｘと異なる情報として、結合動
き修正予測モードにおけるインデックス情報であるｍｅｒｇｅ＿ｍｖｄ＿ｉｄｘが取得・
管理される構造を取る。
【０２８７】
実施の形態６の他の構成として、結合予測モードにおけるＳｋｉｐモードと非Ｓｋｉｐ
モードにおける、適用可能な動き情報の候補を異なるものとする構成も考えられる。図６
２は、実施の形態６における各予測モードで適用する結合情報を異なるものとする一例を
示す図である。図６２に示すように、Ｓｋｉｐモードにおいては空間ＢｉＰｒｅｄの候補
動き情報のみが適用され、非Ｓｋｉｐモードの結合予測モード（Ｍｅｒｇｅ）においては
、空間ＵｎｉＰｒｅｄ及び空間ＢｉＰｒｅｄの候補動き情報が適用され、結合動き修正予
測モード（ＭｅｒｇｅＭｖｄ）では、空間ＵｎｉＰｒｅｄ及び時間ＢｉＰｒｅｄの候補動
き情報が適用される。
【０２８８】
Ｓｋｉｐモードと非Ｓｋｉｐモードで適用可能な動き情報の候補を変える場合、図６１
のＳｋｉｐモードである場合の候補インデックスは結合予測モードと異なるため、ｍｅｒ
ｇｅ＿ｉｄｘはｓｋｉｐ＿ｉｄｘに置き換えられる。
【０２８９】
結合動き修正予測モードにおいては、より差分ベクトル伝送による効果が高いスケーリ
ングされた動き情報が生成される時間ＢｉＰｒｅｄや、新しい動き情報をスケーリングで
生成する空間ＵｎｉＰｒｅｄを有効にし、結合予測モードにおいては、動きの連続性が高
い動き情報が生成されやすい空間ＵｎｉＰｒｅｄと空間ＢｉＰｒｅｄを有効にし、Ｓｋｉ
ｐモードにおいては、動きの連続性が高い場合により品質の良い予測画像が生成できる空
間ＢｉＰｒｅｄのみを有効にすることで、結合予測モードと結合動き修正予測モードの機
能の重複を抑制し、候補数に依存するインデックス情報量を削減しつつ、有効な動き補償
予測信号を生成できる構成を取ることが出来る。
【０２９０】
（実施の形態７）
次に、本発明の実施の形態７についての説明を行う。実施の形態７においては、実施の
形態１に対して、結合動き修正予測モードにおいて伝送する１つの差分ベクトル値を２つ
の参照画像に作用する構成を取る。
【０２９１】
図６３（ａ）、（ｂ）は、実施の形態７における差分ベクトルの２つの参照画像に対す
る作用を示す概念図である。図６３（ａ）、（ｂ）に示すように、１つの差分ベクトルが
伝送され、差分ベクトル値を双方向予測の両方の参照画像に対して補正ベクトル値として
作用させる。
【０２９２】
実施の形態１においては、差分ベクトル値は、動き修正参照画像として選択された１つ
の参照画像に対して、結合動き情報より生成された動きベクトル値と動き補償予測に用い
た動きベクトル値の差分を示していた。実施の形態１における差分ベクトルは、結合動き
情報における動きベクトルの一部にずれがあるが、正しい（結合動き情報による動きをそ
のまま反映させることが可能な）動きベクトルも存在し、その動きベクトルを信頼した状
態における補正情報である。
【０２９３】
実施の形態７における差分ベクトルは、動き情報の時間相関（時間的連続性）が高く保
たれている状態における、結合動き情報全体に対する補正情報となり、特に結合動き情報
が時間ＢｉＰｒｅｄの場合などの時間相関をもとに生成された動き情報の補正において、
少ない情報で有効な補正情報が伝送され、符号化効率を向上できる。
【０２９４】
実施の形態７における差分ベクトルの作用は、差分ベクトルを送る基準参照画像におい
ては、実施の形態１における差分ベクトルと同様に、結合動き情報より生成された動きベ
クトル値と動き補償予測に用いた動きベクトル値の差分を示す。差分ベクトルを送る基準
参照画像でない、双方向予測の他方の参照画像においては、その作用に２つの手法を用い
ることが可能である。
【０２９５】
１つは、図６３（ａ）に示すように、差分ベクトルをスケーリングした値が、他方の参
照画像における結合動き情報より生成された動きベクトル値と動き補償予測に用いた動き
ベクトル値の差分を示す（ミラータイプ）手法である。もう１つは、図６３（ｂ）に示す
ように、スケーリングを行わずに、基準参照画像と同様に差分ベクトル値が他方の参照画
像における結合動き情報より生成された動きベクトル値と動き補償予測に用いた動きベク
トル値の差分を示す（平行移動タイプ）手法である。
【０２９６】
以降の実施の形態７の説明においては、ミラータイプの差分ベクトルの作用手法を用い
るが、ミラータイプと平行移動タイプの手法を、動画像の特性や符号化時の予測構造など
により適応的に切り替えることも可能である。
【０２９７】
実施の形態７における動画像符号化装置と、実施の構成１における動画像符号化装置と
の構成の違いは、図１０の結合動き修正動き補償予測生成部１００９における詳細構成で
ある図１３のブロック構成、及びその具体的処理を説明するフローチャートである図２２
に示された結合動き修正予測モード評価値生成処理である。実施の形態７における動画像
復号装置と、実施の構成１における動画像復号装置との構成の違いは、図４２に示した結
合動き修正予測動き情報復号処理の処理フローチャートである。
【０２９８】
実施の形態７における図１３のブロック構成は、実施の形態３における図１０の結合動
き修正動き補償予測生成部１００９における詳細構成である図４７と同じ構成を取る。図
６４は、実施の形態７における、２つの参照画像の結合動きベクトル値を基準とした動き
ベクトル探索手法の一例を示す図である。
【０２９９】
動き修正参照画像動きベクトル検出部４７００が差分ベクトルの候補としての検出範囲
に対して、動き修正参照画像に対してはそのまま差分ベクトルとして、基準参照画像に対
してはスケーリングされた差分ベクトルとして結合動き情報より生成された各々の参照画
像に対する動きベクトル値に対して作用させて取得した画像信号を、加算平均することで
生成し、符号化対象となる予測ブロック画像との誤差評価値を算出し、誤差評価値が最小
となる動き修正参照画像の動き量を動き修正参照画像動きベクトルとする。
【０３００】
実施の形態７における説明では、他の実施の形態との処理の共通性を取るために、動き
修正参照画像の差分ベクトル値を、伝送する差分ベクトル値に設定しているが、基準参照
画像の差分ベクトル値を、伝送する差分ベクトル値に設定する手法をとることも可能であ
り、これに限定されない。つまり、実施の形態７のミラータイプの差分ベクトルを伝送す
る構成では、どちらの参照画像を基準に差分動きベクトルを伝送しても良いため、通常は
、差分ベクトルの符号量を小さくするため、符号化対象画像から距離の近い方の参照画像
を動き修正参照画像に設定し、動き修正参照画像に対する差分動きベクトルを伝送する。
他方（符号化対象画像から距離の遠い又は同一）の参照画像では、伝送する差分動きベク
トルに対して倍率の絶対値が１以上のスケーリング処理を行い、伝送した差分動きベクト
ルと同じかそれ以上の大きさのスケーリング差分動きベクトルを得る。
【０３０１】
図６５は、実施の形態７における結合動き修正予測モード評価値生成処理を説明するた
めのフローチャートである。実施の形態１における結合動き修正予測モード評価値生成処
理のフローチャートである図２２に対して、動き修正参照画像の動きベクトル値を取得す
る処理であるステップＳ２２０４が無くなり、代わりに２つの参照画像の結合動きベクト
ル値を基準に動きベクトルを補正する処理であるステップＳ６５００が加わる。
【０３０２】
ステップＳ６５００では、基準参照画像と動き修正参照画像のそれぞれの結合動きベク
トル値を基準に、動き修正参照画像の補正動き量に対してスケーリングされた動き量が基
準参照画像の補正動き量になるようにして、動きベクトルを探索し、それぞれの参照画像
に補正動き量を加算した動きベクトル値を格納する処理となる。
【０３０３】
図６６は、実施の形態７における結合動き修正予測動き情報復号処理を説明するための
フローチャートである。実施の形態１における結合動き修正予測動き情報復号処理のフロ
ーチャートである図４２に対して、動き修正参照画像の動きベクトル値を算出する処理で
あるステップＳ４２０８が無くなり、代わりに動き修正参照画像及び他方の参照画像（基
準参照画像）の動きベクトル値を算出する処理であるステップＳ６６００が加わる。
【０３０４】
動きベクトル値の算出は、復号した差分ベクトル値を動き修正参照画像に対する動き情
報より生成された動きベクトル値に加算し、差分ベクトル値をスケーリングした値を基準
参照画像に対する動きベクトル値に加算することで、２つの参照画像の動きベクトル値を
算出する。
【０３０５】
図６７は、実施の形態７における差分ベクトルの作用を両方の参照画像に適用する別構
成を示す概念図である。差分ベクトルをその対象となる参照画像の結合動き情報の動きベ
クトルに加算して復号した動きベクトル値をスケーリングすることにより、他方の参照画
像の動きベクトル値を生成する手法も考えられ、ミラータイプにおける動き補償予測信号
とほぼ同等の予測信号が生成できる。
【０３０６】
この手法は、結合動き情報が時間ＢｉＰｒｅｄの場合に、結合動き情報候補生成処理と
結合動き修正予測動き情報復号処理を統合して行うことで実現出来る。この手法では、結
合動き情報の動きベクトルに差分動きベクトルを加算した後にスケーリング処理が１回の
み行われるため、スケーリングの演算精度に起因する劣化が発生しにくく、より精度の良
い動き補償予測信号を生成できる。
【０３０７】
また、実施の形態７と他の実施の形態を結合動き情報の特性によって切り替える構成を
取ることも拡張構成として可能であり、時間ＢｉＰｒｅｄなどの実施の形態７の有効性が
高い条件において採用し、他の条件では実施の形態１を施すことで、更に効率のよい動き
情報の伝送が可能となる。例えば、実施の形態７の有効性が高い条件とは、符号化対象画
像と基準参照画像との距離が、符号化対象画像と動き修正参照画像の距離と同一の場合で
ある。この場合、伝送する差分ベクトルをスケーリングせずに（スケーリング倍率の絶対
値が１）他方の参照画像に対する差分ベクトルを算出できるため、スケーリングの演算精
度に起因する劣化が発生しない。
【０３０８】
（実施の形態８）
次に、本発明の実施の形態８についての説明を行う。実施の形態８においては、実施の
形態１に対して、結合予測モードと結合動き修正予測モードを統合し、結合予測モードを
符号化するシンタックス構造上で結合動き修正予測モードにおける差分ベクトル値の伝送
を行う構成を取る。
【０３０９】
実施の形態１における結合動き修正予測モードにおいて、差分ベクトル値が（０、０）
である場合で且つ、空間ＢｉＰＲｅｄ及び時間ＢｉＰｒｅｄの場合に、結合予測モードと
同一の動き補償予測画像が生成される冗長性（機能の重複）を、結合予測モードと結合動
き修正予測モードを統合して、結合動き情報を用いる場合に後述するＳｋｉｐモード以外
では常に差分ベクトル値が伝送される形で削減し、尚且つ動き補償予測モードとその符号
化シンタックスを軽量化できる利点を有する。
【０３１０】
図６８は、実施の形態８における動き補償予測モードの定義を示す図である。動き補償
予測モードは、動き検出予測モードと結合動き修正予測モード（マージＭＶＤモード）の
２つのモードで構成され、動き検出予測モードとして片方向予測と双方向予測の２つの予
測方法が定義される。
【０３１１】
実施の形態１において、予測差分情報を符号化伝送しない結合予測モードとして定義さ
れていたＳｋｉｐモードは、実施の形態８においては、予測差分情報と差分ベクトル情報
を符号化伝送しない結合動き修正予測モードとして定義し、Ｓｋｉｐモードにおいては、
実施の形態１と同様に結合動き情報インデックスのみを伝送する。
【０３１２】
実施の形態８における動画像符号化装置と、実施の構成１における動画像符号化装置と
の構成の違いは、図１０に示される予測モード判定部１０９の構成と、図１４で示される
動き補償予測モード／予測信号生成の処理、及び図３４で示される動き情報符号化データ
生成処理である。また、実施の形態８における動画像復号装置と、実施の構成１における
動画像復号装置との構成の違いは、図３７に示される動き情報復号部６０６の構成と、図
３８で示される動き情報復号処理、及び図４２で示される結合動き修正予測動き情報復号
処理のフローチャートである。
【０３１３】
図６９は、実施の形態８の動画像符号化装置における予測モード判定部１０９の構成を
示す図である。実施の形態８における予測モード判定部１０９の構成は、図１０で示され
た実施の形態１における構成から、結合動き補償予測生成部１００８とその動作が無くな
った構成を取る。
【０３１４】
図７０は、実施の形態８の動画像符号化装置における動き補償予測モード／予測信号生
成処理を説明するためのフローチャートである。実施の形態８における動き補償予測モー
ド／予測信号生成処理は、図１４のフローチャートで示される実施の形態１における処理
から、結合予測モード評価値生成処理であるステップＳ１４０１が無くなった構成を取る
。
【０３１５】
図７１は、実施の形態８の動画像符号化装置における動き情報符号化データ生成処理を
説明するためのフローチャートである。実施の形態８における動き情報符号化データ生成
処理は、図３４のフローチャートに示される実施の形態１における処理から、ステップＳ
３４００、ステップＳ３４０１、ステップＳ３４１３、ステップＳ３４１４及びステップ
Ｓ３４１８の処理が無くなり、代わりに予測モードが結合動き修正予測モードであるか否
かの判断であるステップＳ７１００と、予測誤差信号を符号化せず、且つ差分ベクトルが
０であるか否かの判断であるステップＳ７１０１が加わる構成を取る。
【０３１６】
最初に、予測モードが結合動き修正予測モードである場合（Ｓ７１００：ＹＥＳ）、予
測誤差信号を符号化せず、且つ差分ベクトルが０である場合（Ｓ７１０１：ＹＥＳ）、ス
テップＳ３４０２、ステップＳ３４０４、及びステップＳ３４０５で構成されるＳｋｉｐ
条件の動き情報符号化処理が行われる。予測誤差信号を符号化するか、差分ベクトルが０
である場合（Ｓ７１０１：ＮＯ）、マージフラグを１として符号化し（Ｓ３４０３）、結
合動き修正予測モードの動き情報符号化処理であるステップＳ３４１５、ステップＳ３４
１６、及びステップＳ３４１７の処理が行われる。ここで、実施の形態８のマージフラグ
は、結合動き修正予測モードであるかどうかに使用され、実施の形態１のように、結合予
測モードであるかどうかを表していないことに注意する。
【０３１７】
予測モードが結合動き修正予測モードでない場合（Ｓ７１００：ＮＯ）、マージフラグ
を０として符号化し（Ｓ３４０６）、動き予測フラグを符号化する（Ｓ３４０７）。片方
向予測モードである場合（Ｓ３４０８：ＹＥＳ）、片方向予測モードの動き情報符号化処
理であるステップＳ３４０９、ステップＳ３４１０、ステップＳ３４１１、及びステップ
Ｓ３４１２が行われ、片方向予測モードでない場合（Ｓ３４０８：ＮＯ）、ステップＳ３
４１９からステップＳ３４２６までの双方向予測モードの動き情報符号化処理が行われる
。
【０３１８】
図７２は、実施の形態８における動き情報に関する符号化シンタックスの一例を示す図
である。図７２に示す例では、ｍｅｒｇｅ＿ｆｌａｇで結合動き修正予測モードが指定さ
れ、Ｓｋｉｐモードでない結合動き修正予測の場合には、差分ベクトルが伝送される構造
になる。
【０３１９】
図７３は、実施の形態８の動画像復号装置における動き情報復号部６０６の構成を示す
図である。実施の形態８における動き情報復号部６０６の構成は、図３７で示された実施
の形態１における構成から、結合動き補償予測復号部３７０６とその動作が無くなった構
成を取る。
【０３２０】
図７４は、実施の形態８の動画像復号装置における動き情報復号処理を説明するための
フローチャートである。実施の形態８における動き情報復号処理は、図３８で示された実
施の形態１における処理から、結合予測動き情報復号処理であるステップＳ３８０２と、
マージＭｖｄフラグの復号処理であるステップＳ３８０８と、マージＭｖｄフラグが１で
あるか否かの判断であるステップＳ３８０９が無くなり、実施の形態１においては、マー
ジＭｖｄフラグが１の場合に処理が施されていた結合動き修正予測動き情報復号処理であ
るステップＳ３８１０が、Ｓｋｉｐモードである場合（Ｓ３８０１：ＹＥＳ）及びマージ
フラグが１である場合（Ｓ３８０４：ＹＥＳ）に処理を行う構成を取る。
【０３２１】
図７５は、図７４のステップＳ３８１０の詳細動作を説明するためのフローチャートで
ある。図７４のステップＳ３８１０では、結合動き修正予測動き情報復号処理が行われる
。
【０３２２】
実施の形態８の動画像復号装置における結合動き修正予測動き情報復号処理は、図４２
で示された実施の形態１における結合予測動き情報復号処理に対して、双方向動きベクト
ル値、差分ベクトルを伝送する参照画像確定処理であるステップＳ４２０５の後に、Ｓｋ
ｉｐモードであるか否かの判断処理であるステップＳ７５００と、差分ベクトル値を０に
セットする処理であるステップＳ７５０１が挿入される構成を取る。
【０３２３】
Ｓｋｉｐモードである場合（Ｓ７５００：ＹＥＳ）、差分ベクトルは伝送されず動きベ
クトル補正を行わないので、差分ベクトル値として０をセットして（Ｓ７５０１）、差分
ベクトルの復号処理であるステップＳ４２０７を行わずに、動き修正参照画像の動きベク
トル値の算出処理であるステップＳ４２０８に進む。
【０３２４】
図７６（ａ）〜（ｃ）は、実施の形態８における別構成の結合動き修正予測モードの差
分ベクトル伝送手法を示す概念図である。実施の形態８における第２の処理構造として、
結合動き情報が空間ＵｎｉＰｒｅｄで生成される場合に、実施の形態１における結合予測
モードでそのまま片方向予測として動き情報を用いる条件が失われることを回避し、図７
６（ｂ）に示すように空間ＵｎｉＰｒｅｄの場合には片方向予測のままで差分ベクトルを
伝送し、動きベクトルを補正する手法をとることも可能である。実施の形態１における結
合予測モードの利点を活かしつつ、結合動き修正予測モードの利点を取り入れた動き補償
予測構造を取ることが可能である。この場合の空間ＵｎｉＰｒｅｄでは、基準参照画像を
設定せず、片方向予測で指定される参照画像を動き修正参照画像に指定する。
【０３２５】
実施の形態８における第３の処理構造として、結合動き情報が空間ＵｎｉＰｒｅｄで生
成される場合に、図２８に示した第２参照画像インデックス確定処理において、最初に基
準参照画像と同じ参照画像が第２参照画像候補リスト内に存在する場合に、基準参照画像
と同じ参照画像に対する参照画像インデックスを第２参照画像インデックスに確定して、
双方向予測の動き情報を算出する手法をとることも可能である。
【０３２６】
第２参照画像として基準参照画像と同一参照画像が設定された場合に、差分ベクトル値
が（０，０）の場合には、結合予測モードにおける空間ＵｎｉＰｒｅｄ動き情報を用いた
場合と同じ動き補償予測信号を生成出来るため、第２の処理構造と同様に実施の形態１に
おける結合予測モードでそのまま片方向予測として動き情報を用いる条件が失われること
を回避できる。
【０３２７】
第２参照画像として基準参照画像と同一参照画像が設定された場合に、差分ベクトル値
として（０，０）以外が伝送される場合には、同一参照画像の微小に異なる動きで表現さ
れる動き補償予測信号を平均化することで、参照画像に微小な変化を加えた動き補償予測
信号を新たな候補として加えることが出来、符号化効率を向上させることが可能である。
【０３２８】
これら実施の形態８の各構成は、それぞれの構成を組み合わせた構成で適用することも
可能である。例えば第３の処理構造を基本とする場合に、第２参照画像として基準参照画
像と同じ参照画像が設定出来ない場合（基準参照画像と同じ参照画像が第２参照画像候補
リスト内に存在しない場合）に、他の参照画像を第２参照画像として選択して双方向予測
の動き情報を生成する処理構成が適用できる。
【０３２９】
また、第３の処理構造を基本とする場合に、第２参照画像として基準参照画像と同じ参
照画像が設定出来ない場合に、第２の処理構造に示したように片方向予測として動き情報
を生成し、片方向予測の参照画像の動きベクトルに対する差分ベクトルを符号化する処理
構成も適用可能である。この場合には第２の処理構造と同様に、結合予測モードと同じ動
き補償予測信号を生成する全ての条件を結合動き修正予測モードとして符号化出来るとい
う効果が加わる。
【０３３０】
これらの処理構造は、符号化の予測構造や画像シーケンスの特性に応じて、所定単位で
切り替えることも可能であり、符号化処理を行う画像の特性に適した動き情報を用いた動
き補償処理が実現できる。
【０３３１】
（実施の形態９）
次に、本発明の実施の形態９についての説明を行う。実施の形態９においては、実施の
形態１に対して、結合予測モードにおいて表現可能な、結合動き修正予測モードで差分ベ
クトルが（０，０）の場合に、復号される動きベクトル値に差分動きベクトルが（０，０
）以外の場合と別の定義を行う事で、符号化する動き情報の冗長性を削減しつつ新たな動
き情報の候補を伝送可能にする構成を取る。
【０３３２】
実施の形態９においては、復号時に結合動き修正予測モードにおいて差分ベクトル値が
０である場合に、動きベクトル値として固定値である（０，０）ベクトルを復号する構成
を取る。尚、復号する動きベクトル値自体は、暗黙で復号できる値であれば良く、（０，
０）でない固定値を設定したり、結合動き情報として算出される動きベクトル値に対して
、所定の値を加算したり（ある程度の差分ベクトル符号量を有する値）、上記条件用の動
きベクトル値を隣接ブロックの別の動き情報を用いて取得する構成も、実施の形態９にお
ける効果を実現する構成とすることが可能である。
【０３３３】
実施の形態９における動画像符号化装置と実施の形態１の動画像符号化装置との構成の
違いは、図２２に示される結合動き修正予測モード評価値生成処理である。また、実施の
形態９の動画像復号装置と実施の形態１の動画像復号装置との構成の違いは、図４２で示
される結合動き修正予測動き情報復号処理である。
【０３３４】
図７７は、実施の形態９の動画像符号化装置における結合動き修正予測モード評価値生
成処理を説明するためのフローチャートである。実施の形態９における結合動き修正予測
モード評価値生成処理は、図２２で示された実施の形態１における処理に対して、動き修
正参照画像の動きベクトルを取得する処理であるステップＳ２２０４の後に、動き修正参
照画像の動きベクトルが（０，０）であるか否かの判定処理であるステップＳ７７００と
、差分ベクトルに（０，０）を設定する処理であるステップＳ７７０１と、動き修正参照
画像の動きベクトルを固定値に置き換える処理であるステップＳ７７０２が加わり、差分
ベクトル値生成処理であるステップＳ２２０５の後に、差分ベクトルが（０，０）である
か否かの判定処理であるステップＳ７７０３が加わる構成を取る。
【０３３５】
図１の動きベクトル検出部１０７より取得した動き修正画像に対する動きベクトル値が
（０，０）となる場合（Ｓ７７００：ＹＥＳ）、実施の形態９における結合動き修正予測
モードにおいては、差分ベクトルを（０，０）に設定することで少ない符号量で動き情報
が符号化できるため、差分ベクトル値を（０，０）に設定し（Ｓ７７０１）、結合動き情
報より設定された動き修正画像に対する動きベクトル値に固定値である（０，０）を設定
して（Ｓ７７０２）、以降の双方向動き補償予測信号生成処理を行う。
【０３３６】
また、動き修正画像に対する動きベクトル値と、結合動き情報より設定された動き修正
画像に対する動きベクトル値が同一である場合には、差分ベクトル値が（０，０）となる
ため、差分ベクトル値が（０，０）の場合（Ｓ７７０３：ＹＥＳ）、結合動き情報より設
定された動き修正画像に対する動きベクトル値に固定値である（０，０）を設定して（Ｓ
７７０２）、以降の双方向動き補償予測信号生成処理を行い、予測誤差値を評価すること
で、（０，０）ベクトルを用いた動き補償予測を選択候補としてモード判定を行うことが
可能となる。
【０３３７】
実施の形態９において、実施の形態３の動画像符号化装置のように、結合動き修正予測
モード評価値生成の中で、動きベクトルの探索を可能とする構成を取る場合には、結合動
き修正予測モード評価値生成処理を行うことが可能である。図７８は、実施の形態９にお
ける別構成の結合動き修正予測モード評価値生成処理を説明するためのフローチャートで
ある。図２２で示された実施の形態１における処理に対して、動き修正参照画像の動きベ
クトルを取得する処理であるステップＳ２２０４が無くなり、代わりに動き修正参照画像
の結合動きベクトル値を基準に差分ベクトル（０，０）の場合を除いて動きベクトルを検
出する処理であるステップＳ７８００、動き修正参照画像の動きベクトル値を固定値（０
，０）にした際の予測誤差を算出するステップＳ７８０１、補正した動きベクトル値によ
り予測誤差と動きベクトル値を固定値（０，０）での予測誤差を比較する処理であるステ
ップＳ７８０２、及び動き修正参照画像の結合動きベクトル値を固定値に置き換え、差分
ベクトルを（０，０）に設定する処理であるステップＳ７８０３が加わる構成を取る。
【０３３８】
ステップＳ７８００では、結合動き情報から算出した修正参照画像の動きベクトル値を
そのまま利用する条件を排除しているため、動きベクトルの補正が０になる差分ベクトル
（０，０）での動きベクトル探索を行わないことで、動きベクトル値の候補に登録されな
いようにする。
【０３３９】
その後で、動き修正参照画像の動きベクトル値を固定値に指定した状態の予測誤差評価
値を算出し（Ｓ７８０１）、ステップＳ７８００で検出された動きベクトル値を用いた場
合に予測誤差評価値と比較して、固定値における予測誤差が少ない場合（Ｓ７８０２：Ｙ
ＥＳ）、動き修正参照画像の結合動きベクトル値を固定値に置き換えて、差分ベクトル値
を０に設定して（Ｓ７８０３）、動き情報符号量算出処理であるステップＳ２２０６に進
む。
【０３４０】
上記処理を行うことで、実施の形態９で結合動き修正予測モードが取りうる動き情報の
中で最良の動き補償予測を可能とする動き情報を生成でき、符号化効率を向上できる。
【０３４１】
図７９は、実施の形態９の動画像復号装置における結合動き修正予測動き情報復号処理
を説明するためのフローチャートである。実施の形態９における結合動き修正予測動き情
報復号処理は、図４２で示された実施の形態１における処理に対して、差分ベクトル値を
復号する処理であるステップＳ４２０７の後に、差分ベクトル値が（０，０）であるか否
かを判定する処理であるステップＳ７９００と、動き修正参照画像の動きベクトル値を固
定値に置き換える処理であるステップ７９０１が加わる構成を取る。
【０３４２】
実施の形態９における動画像復号装置においては、上述したように差分ベクトルが０の
場合（Ｓ７９００：ＹＥＳ）、復号される動きベクトル値を固定値（０，０）に設定する
ために動き修正参照画像の動きベクトル値を固定値（０，０）に置き換える（Ｓ７９０１
）。ステップＳ７９０１の後で、動き修正参照画像の動きベクトル値を算出する（Ｓ４２
０８）ことで、固定値（０，０）に差分ベクトル（０，０）が加算された復号値として、
固定値が動き修正参照画像の動きベクトル値として算出される。
【０３４３】
実施の形態９において、結合動き修正予測モードの全ての結合動き情報候補に対して、
差分ベクトル値が（０，０）の場合の固定値置換え処理を行っているが、空間ＵｎｉＰｒ
ｅｄの場合には、結合予測モードにおける動き情報と結合動き修正予測モードにおける動
き情報は異なる。つまり、空間ＵｎｉＰｒｅｄの場合には、結合予測モードにおける動き
情報と結合動き修正予測モードに間に機能の重複が存在しないため、差分ベクトル（０，
０）の条件で動きベクトルを固定値に置き換える必要はなく、結合動き情報の種類に応じ
て、置換え処理を行うか否かを切り替える手法を用いる事が可能であり、より適した動き
情報の表現を可能とする。
【０３４４】
以上述べた実施の形態において、双方向予測が利用可能なピクチャ（Ｂピクチャ）を前
提に説明したが、適応双方向予測を有さないピクチャ（Ｐピクチャ）においても、本発明
の実施の形態を適用することは可能である。つまり、本発明の実施の形態をＰピクチャに
適用すると、結合動き修正予測モードでは、常に片方向予測で動き補償を行うことになり
、結合予測モードで指定される参照画像と同一の参照画像に対して差分ベクトルを加算し
、動きベクトルを修正する処理を行う。
【０３４５】
これにより、動き検出予測モードを選択する場合と比較して、結合予測モードと同一の
予測動きベクトルを利用すること、及び、動き検出予測モードで必要となる参照画像指定
情報が不要となる。そのため、結合動き修正予測モードが統合予測モードと動き検出予測
モードの間の性質を持つ予測モードとなり、隣接する動き情報との時間的・空間的な相関
性が高いが動きに微小なずれを生じている場合や、隣接するブロックの動き情報が正確な
動きを示していない場合などに、符号化効率を向上させることができる。
【０３４６】
以上述べた実施の形態の動画像符号化装置が出力する動画像の符号化ストリームは、実
施の形態で用いられた符号化方法に応じて復号することができるように特定のデータフォ
ーマットを有しており、動画像符号化装置に対応する動画像復号装置がこの特定のデータ
フォーマットの符号化ストリームを復号することができる。
【０３４７】
動画像符号化装置と動画像復号装置の間で符号化ストリームをやりとりするために、有
線または無線のネットワークが用いられる場合、符号化ストリームを通信路の伝送形態に
適したデータ形式に変換して伝送してもよい。その場合、動画像符号化装置が出力する符
号化ストリームを通信路の伝送形態に適したデータ形式の符号化データに変換してネット
ワークに送信する動画像送信装置と、ネットワークから符号化データを受信して符号化ス
トリームに復元して動画像復号装置に供給する動画像受信装置とが設けられる。
【０３４８】
動画像送信装置は、動画像符号化装置が出力する符号化ストリームをバッファするメモ
リと、符号化ストリームをパケット化するパケット処理部と、パケット化された符号化デ
ータをネットワークを介して送信する送信部とを含む。動画像受信装置は、パケット化さ
れた符号化データをネットワークを介して受信する受信部と、受信された符号化データを
バッファするメモリと、符号化データをパケット処理して符号化ストリームを生成し、動
画像復号装置に提供するパケット処理部とを含む。
【０３４９】
また、以上の符号化及び復号に関する処理は、ハードウェアを用いた伝送、蓄積、受信
装置として実現することができるのは勿論のこと、ＲＯＭ（Ｒｅａｄ  Ｏｎｌｙ  Ｍｅｍ
ｏｒｙ）やフラッシュメモリ等に記憶されているファームウェアや、コンピュータ等のソ
フトウェアによっても実現することができる。そのファームウェアプログラム、ソフトウ
ェアプログラムをコンピュータ等で読み取り可能な記録媒体に記録して提供することも、
有線あるいは無線のネットワークを通してサーバから提供することも、地上波あるいは衛
星ディジタル放送のデータ放送として提供することも可能である。
【０３５０】
以上、本発明を実施の形態をもとに説明した。実施の形態は例示であり、それらの各構
成要素や各処理プロセスの組み合わせにいろいろな変形例が可能なこと、またそうした変
形例も本発明の範囲にあることは当業者に理解されるところである。
【０３５１】
実施の形態１の図２１のフローチャートの説明では、結合動き情報インデックスの符号
列としては、Ｔｒｕｎｃａｔｅｄ  Ｕｎａｒｙ符号列を用いる例を説明した。ここで、Ｔ
ｒｕｎｃａｔｅｄ  Ｕｎａｒｙ符号列の具体例を挙げる。
【０３５２】
図８０は、結合動き情報候補数が５の場合のＴｒｕｎｃａｔｅｄ  Ｕｎａｒｙ符号列を
示す図である。Ｔｒｕｎｃａｔｅｄ  Ｕｎａｒｙ符号列を用いて結合動き情報インデック
スの値を符号化する場合には、結合動き情報候補数が少ないほど、結合動き情報インデッ
クスに割り当てられる符号ビットが小さくなる。例えば、結合動き情報インデックスが１
である場合、結合動き情報候補数が２個であれば‘１’の１ビットで表現されるが、結合
動き情報候補数が３個であれば‘１０’の２ビットで表現される。なお、ここでは上記の
ように結合動き情報インデックスの符号化にＴｒｕｎｃａｔｅｄ  Ｕｎａｒｙ符号列を利
用しているが、他の符号列生成手法を用いることも可能であり、これに限定されない。
【符号の説明】
【０３５３】
１００  入力端子、  １０１  減算部、  １０２  直交変換・量子化部、  １０３  予
測誤差符号化部、  １０４  逆量子化・逆変換部、  １０５  加算部、  １０６  復号画
像メモリ、  １０７  動きベクトル検出部、  １０８  動き補償予測部、  １０９  予測
モード判定部、  １１０  動き情報符号化部、  １１１  動き情報メモリ、  １１２  多
重化部、  １１３  出力端子、  ６００  入力端子、  ６０１  多重分離部、  ６０２  
予測差分情報復号部、  ６０３  逆量子化・逆変換部、  ６０４  加算部、  ６０５  復
号画像メモリ、  ６０６  動き情報復号部、  ６０７  動き情報メモリ、  ６０８  動き
補償予測部、  ６０９  出力端子、  １０００  片方向動き補償予測生成部、  １００１
双方向動き補償予測生成部、  １００２  予測誤差算出部、  １００３  予測ベクトル
算出部、  １００４  差分ベクトル算出部、  １００５  動き情報符号量算出部、  １０
０６  予測モード評価部、  １００７  結合動き情報算出部、  １００８  結合動き補償
予測生成部、  １００９  結合動き修正動き補償予測生成部、  １１００  予測ベクトル
候補リスト生成部、  １１０１  予測ベクトル候補リスト削除部、  １２００  結合動き
情報候補リスト生成部、  １２０１  結合動き情報候補リスト削除部、  １３００  基準
参照画像・動き修正参照画像選択部、  １３０１  動き修正参照画像動きベクトル取得部
、  １３０２  結合動き情報修正動き補償予測生成部、  １３０３  差分ベクトル算出部
、  ３７００  動き情報ビットストリーム復号部、  ３７０１  予測ベクトル算出部、  
３７０２  ベクトル加算部、  ３７０３  片方向動き補償予測復号部、  ３７０４  双方
向動き補償予測復号部、  ３７０５  結合動き情報算出部、  ３７０６  結合動き補償予
測復号部、  ３７０７  結合動き修正動き補償予測復号部、  ４７００  動き修正参照画
像動きベクトル検出部、  ５９００，６０００  結合動き修正動き情報算出部。
【図１】
2015222980.tif 000003
【図２】
2015222980.tif 000004
【図３】
2015222980.tif 000005
【図４】
2015222980.tif 000006
【図５】
2015222980.tif 000007
【図６】
2015222980.tif 000008
【図７】
2015222980.tif 000009
【図８】
2015222980.tif 000010
【図９】
2015222980.tif 000011
【図１０】
2015222980.tif 000012
【図１１】
2015222980.tif 000013
【図１２】
2015222980.tif 000014
【図１３】
2015222980.tif 000015
【図１４】
2015222980.tif 000016
【図１５】
2015222980.tif 000017
【図１６】
2015222980.tif 000018
【図１７】
2015222980.tif 000019
【図１８】
2015222980.tif 000020
【図１９】
2015222980.tif 000021
【図２０】
2015222980.tif 000022
【図２１】
2015222980.tif 000023
【図２２】
2015222980.tif 000024
【図２３】
2015222980.tif 000025
【図２４】
2015222980.tif 000026
【図２５】
2015222980.tif 000027
【図２６】
2015222980.tif 000028
【図２７】
2015222980.tif 000029
【図２８】
2015222980.tif 000030
【図２９】
2015222980.tif 000031
【図３０】
2015222980.tif 000032
【図３１】
2015222980.tif 000033
【図３２】
2015222980.tif 000034
【図３３】
2015222980.tif 000035
【図３４】
2015222980.tif 000036
【図３５】
2015222980.tif 000037
【図３６】
2015222980.tif 000038
【図３７】
2015222980.tif 000039
【図３８】
2015222980.tif 000040
【図３９】
2015222980.tif 000041
【図４０】
2015222980.tif 000042
【図４１】
2015222980.tif 000043
【図４２】
2015222980.tif 000044
【図４３】
2015222980.tif 000045
【図４４】
2015222980.tif 000046
【図４５】
2015222980.tif 000047
【図４６】
2015222980.tif 000048
【図４７】
2015222980.tif 000049
【図４８】
2015222980.tif 000050
【図４９】
2015222980.tif 000051
【図５０】
2015222980.tif 000052
【図５１】
2015222980.tif 000053
【図５２】
2015222980.tif 000054
【図５３】
2015222980.tif 000055
【図５４】
2015222980.tif 000056
【図５５】
2015222980.tif 000057
【図５６】
2015222980.tif 000058
【図５７】
2015222980.tif 000059
【図５８】
2015222980.tif 000060
【図５９】
2015222980.tif 000061
【図６０】
2015222980.tif 000062
【図６１】
2015222980.tif 000063
【図６２】
2015222980.tif 000064
【図６３】
2015222980.tif 000065
【図６４】
2015222980.tif 000066
【図６５】
2015222980.tif 000067
【図６６】
2015222980.tif 000068
【図６７】
2015222980.tif 000069
【図６８】
2015222980.tif 000070
【図６９】
2015222980.tif 000071
【図７０】
2015222980.tif 000072
【図７１】
2015222980.tif 000073
【図７２】
2015222980.tif 000074
【図７３】
2015222980.tif 000075
【図７４】
2015222980.tif 000076
【図７５】
2015222980.tif 000077
【図７６】
2015222980.tif 000078
【図７７】
2015222980.tif 000079
【図７８】
2015222980.tif 000080
【図７９】
2015222980.tif 000081
【図８０】
2015222980.tif 000082